(57)【特許請求の範囲】
【請求項１】
装置本体と、
前記装置本体の上方に配置され、所定の高さを有する部材であって、上方部に降雨による雨水を収集するための降雨収集手段を有するとともに、前記降雨収集手段により収集した前記雨水を前記装置本体の上面部に向かって流下させる雨水流下用貫通穴とを備えた雨水流下塔と、
前記装置本体内に、水平方向に支持されるとともに回転自在に配置された部材であって、被処理物の挿入と取り出しを可能とした密閉可能な空間部を有する円筒形状又は多角形状をなす回転容器部材と、を備え、
前記回転容器部材は、さらに、外周面上に前記雨水流下用貫通穴を流下する前記雨水を溜める雨水溜まり部を備えており、
前記回転容器部材は、前記雨水流下塔の雨水流下用貫通穴から流下して前記雨水溜まり部に溜まった前記雨水の重力により、所定方向に回転可能とされていることを特徴とする回転式粉末化装置。
【請求項２】
前記降雨収集手段は、前記雨水流下塔の上部に載置された降雨収集塔からなり、
前記降雨収集塔は、その上端面は上方に向かって開口した凹状開口部と、前記凹状開口部の底面部から立設する山形形状をなす山形状突出部と、前記凹状開口部の底面部と前記雨水流下塔の前記雨水流下用貫通穴とを連通する貫通穴を備えていることを特徴とする請求項１に記載の回転式粉末化装置。
【請求項３】
前記雨水流下塔は、正面視で所定の厚さを有する多角形状をなし、
前記降雨収集手段は、前記多角形状をなす前記雨水流下塔の側面上に形成された雨水収集用凹部と、前記雨水収集用凹部を前記雨水流下塔の前記雨水流下用貫通穴と連通する貫通穴とから構成されていることを特徴とする請求項１に記載の回転式粉末化装置。
【請求項４】
装置本体と、
前記装置本体の上面部に載置された台座と、
前記台座の上面部に載置されて所定の高さを有する部材であって、上面部から下面部に向けて貫通した雨水流下用貫通穴を有する雨水流下塔と、
前記雨水流下塔の上面部に載置されて、降雨による雨水を収集するための降雨収集塔と、
前記装置本体内に、水平方向に支持されるとともに回転自在に配置された部材であって、円筒形状又は多角形状をなす回転容器部材と、を備え、
前記回転容器部材は、
その外周面上、前記雨水流下用貫通穴を介して流下する前記雨水を溜める雨水溜まり部材と、
前記回転容器部材の内部に設けられた空間部であって、被処理物の挿入と取り出しを可能とした密閉可能な空間部と、を備え、
前記回転容器部材は、前記雨水溜まり部に溜まった前記雨水の重力を利用して所定方向に回転可能とされていることを特徴とする回転式粉末化装置。
【発明の詳細な説明】
【技術分野】
【０００１】
本発明は、回転可能な密閉容器内に挿入している粉末化し易い固形物からなる被処理物を、雨水、特に降雨時に取水した雨水の重力を利用してこの密閉容器を回転させることにより、長い時間をかけて粉砕して粉末化するための装置、もしくは、複数種の被処理物を長い時間をかけて混合・粉砕する装置に関するものである。
【背景技術】
【０００２】
従来から、粉末化し易い固形物、あるいは粉砕化し易い複数種の固形物からなる被処理物を容器内に挿入（装入）し、この容器を回転させるか、あるいは容器内に装着した撹拌羽根を回転させることにより、これら被処理物を粉砕して粉末状に、あるいは複数種の被処理物を粉砕して混合するための装置が提案されている。このような装置としては、例えば、固形物が枯れ葉等であり、この枯れ葉等から腐葉土をつくる腐葉土生成装置、あるいは、レストラン等や家庭で発生するごみのうちの生ごみ等を、回転させながら混合し、微生物の作用により分解して堆肥化するための装置等が提案され、その一部は実用化されている。
【０００３】
この種の回転機構を備えた腐葉土生成や生ごみの分解・堆肥化装置に関する技術としては、例えば、下記の特許文献１（特開２００４−２０９３３０号公報）、特許文献２（特開２００４−３１５２７２号公報）に記載の発明が提案されている。
【０００４】
特許文献１には、生ごみ処理機に関する発明が提案されている。この生ごみ処理機は、ケーシング内に、生ごみと、生ごみを発酵分解する微生物を含有した腐葉土等の基材が収容される撹拌槽を設け、さらに、この撹拌槽内には複数の撹拌棒を突設した回転軸を配置し、この回転軸を回転駆動モータで回転させて、腐葉土等の基材を撹拌棒で撹拌することにより、微生物による生ごみの分解能力を向上させるようにしたものである。
【０００５】
特許文献２には、家庭ごみの堆肥化装置に関する発明が提案されている。この堆肥化装置は、発酵槽と台車から構成され、発酵槽は側面が多角形に構成された左右の側板と、この左右の側板間に投入口を残して張設されたアジテータ用小棒を内側に有する板と、投入口に装着された蓋板から構成され、さらに、台車は発酵槽を回転自在に支持するように構成されている。そして、この堆肥化装置においては、生ごみと適量の培養材を日々発酵槽内に投入した後に、この発酵槽を数回回転させて全体を混合する。この混合操作を行った際には、発酵槽内にアジテータ用小棒が突設されているために生ごみの撹拌が確実に行われ、約１年の期間をかけて生ごみの堆肥化を行うことが記載されている。
【０００６】
一方、近年において、葬儀に対する各人の意識の変化により、家族葬や直葬等のように葬儀の縮小化、あるいは個人のみで実施する個人化のケースが増加してきている。また、墓地を取得するためには高額なお金を要すること、あるいは「子供達に負担をかけたくない」、「墓地が遠方で墓参りに行けない」、「なくなった方をいつも身近に感じたい」、等の理由により、自宅内に骨壷を安置したり、遺灰をペンダントに入れたりする手元供養や、樹木葬、あるいは散骨の実施など、埋葬形態も次第に多様化する傾向になってきている。
【０００７】
また、従来の供養手段に従って、すぐに、故人の墓石を建ててしまうことも多くあり、その結果として、その後の家族の構成や事情の変化、さらには近年の少子化などの事情により、全国的に墓石が無縁墓になって、これら墓石、骨壺等が一種の産業廃棄物化している例も増加している。この場合、遺骨については原形のままでも粉末でも産業廃棄物として処理することができないので、行政機関等によりこの無縁墓を改葬することが行われている。
【０００８】
また、各地に公営の公園墓地が設置されているが、近年の用地取得難から公園墓地は市街地から離れた遠方の地に設けられる場合も増加しているため、親族等の墓参りに出かける回数も減少する傾向になっている。
【０００９】
このような葬儀や埋葬、あるいは墓参りに対する意識の変化や、墓石等の産業廃棄物化に対する課題を解決するために、自然分解性を備えた骨壷を墓石の納骨場所に納めることにより、遺骨とともに骨壷を自然分解させて土に還元する（自然に帰す）ことが提案されている。この自然分解性を有する骨壷としては、例えば、微生物の分解作用を利用した合成樹脂製の骨壷、粘土等を主体として成型した自然分解性を有する骨壷が提案されている。
【００１０】
また、下記の特許文献３（特開２００１−２８６５１８号公報）には、風力を利用して風車を回転させ、この風力による風車の回転力を利用してひき臼を作動させることにより、焼骨や既に埋葬されていた遺骨をひき臼により粉末化する遺骨粉末化埋葬装置が提案されている。また、特許文献３には、この遺骨粉末化埋葬装置は、墓地の墓石位置に設置してその表面を石版で覆うか、あるいは寺院内に設置することが記載されている。  
【先行技術文献】
【特許文献】
【００１１】
【特許文献１】特開２００４−２０９３３０号公報
【特許文献２】特開２００４−３１５２７２号公報
【特許文献３】特開２００１−２８６５１８号公報
【発明の概要】
【発明が解決しようとする課題】
【００１２】
特許文献１に記載の生ごみ処理機は、複数の撹拌棒を突設した回転軸を配置した撹拌槽内に生ごみと、生ごみを発酵分解する微生物を含有した腐葉土等の基材を収容して、この回転軸を回転駆動モータで回転させて、腐葉土等の基材を撹拌棒で撹拌することにより微生物による生ごみの分解能力を向上させるようにした生ごみ処理機である。しかし、この生ごみ処理機は、生ごみと腐葉土等の基材を撹拌・混合するための動力源として電気エネルギーを使用する回転駆動モータを備えているため、省エネルギー化を指向した処理機ではない。
【００１３】
特許文献２に記載の家庭ごみの堆肥化装置は、発酵槽を人力により回転させる手段を備えており、省エネルギー化を指向した処理機ではあるが、自然現象で発生する風や降雨等の自然力を利用してこの発酵槽を回転させるようにした手段は備えていない。
【００１４】
特許文献３に記載の遺骨粉末化埋葬装置は、自然エネルギーである風力を利用してひき臼を回転させて遺骨を粉末化する手段を備えているが、風力で風車を回転させて得た回転力を、ひき臼に伝達してひき臼を効率良く回転作動させるための具体的な構成については開示されていない。
【００１５】
そこで、本発明の目的は、自然現象である降雨を利用して取り込んだ雨水を、その重力を利用して、比較的粉末化し易い固形物からなる被処理物を挿入している密閉可能な容器（回転容器部材）を回転させることにより、この回転容器部材内においてこの被処理物を粉砕して粉末化する装置、例えば、故人の遺骨（焼骨）、あるいは愛犬等のペットの焼骨を長い日数又は年月をかけて粉骨（粉末）化する装置としても利用できる、自然エネルギーを応用した小型の回転式粉末化装置を提供することにある。
【課題を解決するための手段】
【００１６】
上記した課題を解決するために、請求項１に記載の発明に係る回転式粉末化装置は、
装置本体と、
前記装置本体の上方に配置され、所定の高さを有する部材であって、上方部に降雨による雨水を収集するための降雨収集手段を有するとともに、前記降雨収集手段により収集した前記雨水を前記装置本体の上面部に向かって流下させる雨水流下用貫通穴とを備えた雨水流下塔と、
前記装置本体内に、水平方向に支持されるとともに回転自在に配置された部材であって、被処理物の挿入と取り出しを可能とした密閉可能な空間部を有する円筒形状又は多角形状をなす回転容器部材と、を備え、
前記回転容器部材は、さらに、外周面上に前記雨水流下用貫通穴を流下する前記雨水を溜める雨水溜まり部を備えており、
前記回転容器部材は、前記雨水流下塔の雨水流下用貫通穴から流下して前記雨水溜まり部に溜まった前記雨水の重力により、所定方向に回転可能とされていることを特徴としている。
【００１７】
また、請求項２に記載の発明は、請求項１に記載の回転式粉末化装置に係り、前記降雨収集手段は、前記雨水流下塔の上部に載置された降雨収集塔からなり、
前記降雨収集塔は、その上端面は上方に向かって開口した凹状開口部と、前記凹状開口部の底面部から立設する山形形状をなす山形状突出部と、前記凹状開口部の底面部と前記雨水流下塔の前記雨水流下用貫通穴とを連通する貫通穴を備えていることを特徴としている。
【００１８】
また、請求項３に記載の発明は、請求項１に記載の回転式粉末化装置に係り、前記雨水流下塔は、正面視で所定の厚さを有する多角形状をなし、
前記降雨収集手段は、前記多角形状をなす前記雨水流下塔の側面上に形成された雨水収集用凹部と、前記雨水収集用凹部を前記雨水流下塔の前記雨水流下用貫通穴と連通する貫通穴とから構成されていることを特徴としている。
【００１９】
さらに、請求項４に記載の発明に係る回転式粉末化装置は、
装置本体と、
前記装置本体の上面部に載置された台座と、
前記台座の上面部に載置されて所定の高さを有する部材であって、上面部から下面部に向けて貫通した雨水流下用貫通穴を有する雨水流下塔と、
前記雨水流下塔の上面部に載置されて、降雨による雨水を収集するための降雨収集塔と、
前記装置本体内に、水平方向に支持されるとともに回転自在に配置された部材であって、円筒形状又は多角形状をなす回転容器部材と、を備え、
前記回転容器部材は、
その外周面上、前記雨水流下用貫通穴を介して流下する前記雨水を溜める雨水溜まり部材と、前記回転容器部材の内部に設けられた空間部であって、被処理物の挿入と取り出しを可能とした密閉可能な空間部と、を備え、
前記回転容器部材は、前記雨水溜まり部に溜まった前記雨水の重力を利用して所定方向に回転可能とされていることを特徴としている。
【００２０】
請求項１から請求項４のいずれかに記載の回転式粉末化装置における前記雨水流下用貫通穴は、前記雨水流下塔の内部において垂直方向に形成された貫通穴として形成されることがある。
【００２１】
請求項１から請求項４のいずれかに記載の回転式粉末化装置における前記雨水流下用貫通穴は、前記雨水流下塔の内部において垂直方向に形成された貫通穴として形成されるとともに、前記装置本体上に前記雨水流下塔が配置された状態において、前記雨水流下用貫通穴の前記垂直方向の中心線が前記回転容器部材の前記回転軸心から水平方向に所定の距離離れた位置に配置されることがある。
【００２２】
この場合、前記雨水流下塔は、その上面部に前記降雨収集塔により収集された前記雨水を取り込むための集水用凹部を備え、
前記集水用凹部は、その底部に垂直方向に径ｄ１を有する位置決め用貫通穴を備えるとともに、前記位置決め用貫通穴の下端部は、垂直方向に形成された径ｄ２を有する前記雨水流下用貫通穴に連接され、
前記雨水流下用貫通穴の径ｄ２は、前記位置決め用貫通穴の径ｄ１より大きく形成されることがある。
【００２３】
請求項４に記載の回転式粉末化装置の前記降雨収集塔は、前記降雨収集塔の上端面から上方に向かって開口した凹状開口部と、前記凹状開口部の底面部から立設する山形形状をなす山形状突出部と、前記凹状開口部の底面部と前記雨水流下用貫通穴とを連通する貫通穴を備えることがある。
【００２４】
請求項４に記載の回転式粉末化装置の前記台座は、その上面部に前記雨水流下用貫通穴を介して流下した前記雨水を収集する雨水分配凹部を備えるとともに、前記雨水分配凹部の底部は、前記収集した前記雨水を前記回転容器部材の前記雨水溜まり部に落下させるための雨水供給用貫通穴を備えることがある。
【００２５】
請求項４に記載の回転式粉末化装置の装置本体は、水平方向に支持されるとともに回転自在に配置された複数の前記回転容器部材を備え、
前記台座は、その上面部に前記雨水流下用貫通穴を介して流下した前記雨水を収集する雨水分配凹部を備えるとともに、前記雨水分配凹部の底部は、前記収集した前記雨水を前記複数の前記回転容器部材のそれぞれの前記雨水溜まり部に落下させるために、複数の雨水供給用貫通穴を備えることがある。
【００２６】
請求項４に記載の回転式粉末化装置における前記雨水分配凹部は、その一部が前記台座の上面部であって前記雨水流下塔が載置されていない部分に延設されることがある。
【００２７】
請求項１又は請求項４に記載の回転式粉末化装置における前記密閉可能な空間部の内周面は、所定の幅を有し、前記回転軸心方向に延びる少なくとも一つの凸状突起部を備えることがある。
【００２８】
請求項１又は請求項４に記載の回転式粉末化装置における前記密閉可能な空間部の内周面は、前記回転軸心方向に延びる微小な凹凸部を備えることがある。
【００２９】
請求項１又は請求項４に記載の回転式粉末化装置における前記密閉可能な空間部の内周面は、その内周方向に等間隔で、所定の幅を有し、かつ前記回転軸心方向に延びる複数の凸状突起部と、前記凸状突起部の間の前記内周面に設けられた微小な凹凸部を備えることがある。
【００３０】
請求項１又は請求項４に記載の回転式粉末化装置における前記回転容器部材は、石材から構成されることがある。
【００３１】
請求項１又は請求項４に記載の回転式粉末化装置における前記回転容器部材は、硬質の合成樹脂材から構成されることがある。
【００３２】
請求項１又は請求項４に記載の回転式粉末化装置における前記回転容器部材は、硬質の合成樹脂材から構成されるとともに、前記回転容器部材を構成する部材の一部又は全ての部材は、透明又は半透明な合成樹脂材から構成されることがある。
【発明の効果】
【００３３】
本発明の回転式粉末化装置は、降雨時に、この回転式粉末化装置に降り注いだ雨水を集めてこの雨水の重力を利用して回転容器部材を回転させることができる。そして、予めこの回転容器部材が備えている密閉可能な空間部に粉末化し易い固形物からなる被処理物を密閉状態で挿入（装入）しておくことにより、降雨という自然現象を利用した省エネルギーでこの回転容器部材を多数回回転させて、この被処理物を粉末化することが可能な回転式粉末化装置を提供することができる。
【００３４】
本発明の回転式粉末化装置を、例えば、年間の雨量の多い地域には、枯れ葉、枯れ草、生ごみ等から園芸用の腐葉土、あるいは農業用の堆肥等を生成する装置に適用すると、装置の稼働について省エネルギー効果を上げることができる。この場合には、本発明の回転式粉末化装置を大型化してその生成効率を向上させることもできる。
【００３５】
本発明の回転式粉末化装置を、愛犬等のペットや故人の焼骨を粉骨（粉末）化するための装置（メモリアルオブジェクト）として使用した場合には、粉骨化の過程の中で、故人を偲びながら、一般の墓石に収骨（納骨）することも含め、あらゆる供養手段のなかから家族の適宜な時点での実情や思い、あるいは故人の遺志に合致した供養手段を選択して実施することが可能なものとなる。また、すでに無縁墓となった墓の改葬、整理においては、焼骨を比較的短時間で粉末化して遺骨容積を大幅に縮小できるので、無縁墓の再整理における土地面積等を縮小することができる。これにより、本発明は、埋葬環境の整理について効率化とコスト低減も可能になり、社会全体にとって実用価値の高い回転式粉末化装置を提供することができる。
【図面の簡単な説明】
【００３６】
【図１】本発明の第１の実施形態となるメモリアルオブジェクトの全体構成を示す斜視図であって、（ａ）は前側方向からみた図、（ｂ）は後側方向からみた図である。
【図２】図１に示すメモリアルオブジェクトについて、図１（ｂ）に示すＡ−Ａ線における断面の構成を示す部分断面図である。
【図３】図１に示す降雨収集塔について、上面部の構成を示す平面図である。
【図４】図１に示す降雨収集塔について、他の実施形態を示す斜視図である。
【図５】図４に示す降雨収集塔について、上面部の構成を示す平面図である。
【図６】（ａ）は図１に示す雨水流下塔の斜視図、（ｂ）はこの雨水流下塔の上面部に図１に示す降雨収集塔を載置したときの位置関係を説明するための正面図である。
【図７】図１に示す台座の構成を説明するための斜視図である。
【図８】図１に示す台座について、他の実施形態を示す斜視図である。
【図９】図１に示す装置本体の上面部に台座を載置したときに、装置本体と台座との位置関係を説明するための平面図である。
【図１０】図１に示す花台の構成を説明するための斜視図である。
【図１１】（ａ）は図１に示す装置本体の斜視図、（ｂ）はこの装置本体の平面図、（ｃ）はこの装置本体の側面図である。
【図１２】図１１に示す装置本体内に、図２に示す回転容器部材を配置したときの状態を説明するための図であって、装置本体の高さ方向と直交する方向の断面図である。
【図１３】図２に示す回転容器部材の側面図である。
【図１４】図１３に示す回転容器部材の回転軸心Ｏと直交する方向の縦断面図である
【図１５】本発明の第２の実施形態となるメモリアルオブジェクトの全体構成を示す斜視図であって、後側方向からみた図である。
【図１６】（ａ）は図１５に示す降雨収集塔の斜視図、（ｂ）は図１５に示す雨水流下塔の斜視図、（ｃ）は（ｂ）に示す雨水流下塔の側面図である。
【図１７】（ａ）は図１５に示す台座の斜視図、（ｂ）は（ａ）に示す台座の平面図、（ｃ）は（ｂ）に示す台座のＢ−Ｂ線における断面図である。
【図１８】（ａ）は図１５に示す装置本体の斜視図、（ｂ）は（ａ）に示す装置本体の平面図、（ｃ）は（ａ）に示す装置本体の側面図である。
【図１９】図１５に示す装置本体内に、図２に示す回転容器部材を２個配置したときの状態を説明するための平面図である。
【図２０】本発明の第３の実施形態となるメモリアルオブジェクトの全体構成を示す斜視図であって、後側方向からみた図である。
【図２１】（ａ）は、図２０に示す雨水流下塔の斜視図、（ｂ）は（ａ）に示す雨水流下塔の側面図である。
【図２２】（ａ）は図２０に示す台座の斜視図、（ｂ）は（ａ）に示す台座の平面図、（ｃ）は（ｂ）に示す台座のＣ−Ｃ線における断面図である。
【図２３】（ａ）は図２０に示す装置本体の斜視図、（ｂ）は（ａ）に示す装置本体の平面図、（ｃ）は（ａ）に示す装置本体の側面図である。
【図２４】図２０に示す装置本体内に、図２に示す回転容器部材を３個配置したときの状態を説明するための平面図である。
【図２５】本発明の第４の実施形態となるメモリアルオブジェクトについて、その構成を説明するための回転軸心Ｏ方向の縦断面図である。
【図２６】図２５に示すメモリアルオブジェクトについて、装置本体を回転軸心Ｏ方向と直交する方向の縦断を示す図であって、雨水流下塔に形成した雨水流下用貫通穴と回転容器部材の雨水溜まり部との位置関係を説明するための図である。
【図２７】本発明の第５の実施形態となるメモリアルオブジェクトについて、回転軸心Ｏと直交する方向の縦断面図である。
【図２８】本発明の第６の実施形態となるメモリアルオブジェクトの全体構成を示す斜視図であって、前側方向からみた図である。
【図２９】図２８に示す第１の台座の構成を説明するための斜視図である。
【図３０】図２８に示す第２の台座の構成を説明するための平面図である。
【図３１】図２８に示す装置本体に、回転容器部材を４個配置したときの状態を説明するための平面図である。
【図３２】本発明に使用することができる回転容器部材について、他の実施形態を示す斜視図である。
【図３３】図３２に示す回転容器部材を回転軸方向からみた側面図である。
【図３４】図３２に示す回転容器部材の構成を説明するための図であって、回転軸心Ｏ方向の断面図である。
【図３５】図３４に示す回転容器部材の回転軸に、軸受を挿入したときの状態を示す断面図である。
【図３６】本発明に使用することができる回転容器部材について、さらに他の実施形態を示す斜視図である。
【図３７】図３６に示す回転容器部材について、回転軸心方向と直交する方向の断面を示す断面図である。
【図３８】図３６に示す回転容器部材について、回転軸心方向の断面を示す断面図である。
【図３９】図３６に示す回転容器部材について、円筒体の他の実施形態の構成を説明するための断面図である。
【発明を実施するための形態】
【００３７】
以下、図面を用いて本発明を実施するための最良の形態を説明する。以下の実施形態の説明においては、本発明の回転式粉末化装置を、「メモリアルオブジェクト」として実施する場合を例にして説明する。
【００３８】
なお、上記した「メモリアルオブジェクト」とは、愛犬等のペットや故人の遺骨（以下、「焼骨」という）を挿入して密閉することが可能な空間部を有する回転容器部材を備え、この回転容器部材を、自然現象である降雨時に取水した雨水の重力を利用して回転させることにより、長い時間をかけてこの焼骨を回転容器部材内の密閉可能な空間部で粉末化（粉骨化）する装置を示す。また、このメモリアルオブジェクトは、例えば、焼骨が粉骨化するまでの過程として使用する装置であって、墓地、あるいは寺院等の敷地の上、あるいは親族や寺院等の建屋の屋上やベランダ、あるいは管理者が管理する敷地の上、等の降雨が降り注ぐ場所であって、地面上、あるいはアスファルト上、コンクリート上、タイル上等の場所（以下、「メモリアルオブジェクトの設置場所」という）に設置される装置である。
【００３９】
［第１の実施形態］
図１は、本発明の第１の実施形態となるメモリアルオブジェクトについての構成を示す斜視図であって、図１（ａ）はメモリアルオブジェクト（Ｍ１）を前側方向からみた図、図１（ｂ）は後側方向からみた図、図２は図１（ｂ）に示すＡ−Ａ線における部分断面図であって、各部材内に形成されている貫通穴、凹部などの形状を説明するための図である。
【００４０】
図１〜図２に示すメモリアルオブジェクトＭ１は、降雨による雨水を収集して取り込むための降雨収集塔１を最上部に配置し、この降雨収集塔１の下側に、雨水流下塔２、台座３、装置本体４、装置本体４内に回転自在に配置され、内部に密閉可能な空間部Ｋを有する回転容器部材５、花立６、網部材７等を配置した構成からなっている。
【００４１】
降雨収集塔１は、降雨時における雨水を収集するための手段（降雨収集手段）となるものである。回転容器部材５は、その外周面は円筒形状又は多角形状をなす筒状をなし、その両端面に回転軸８が設けられて、装置本体４内に水平方向に支持されるとともに、回転自在に配置されている。また、回転容器部材５内には密閉可能な空間部Ｋが形成されるようになっている。この密閉可能な空間部（Ｋ）の構成については後述する。
【００４２】
図１、図２は、メモリアルオブジェクトＭ１を構成する上記各部材を組み立てたときの位置関係を示しており、上蓋となる降雨収集塔１は、雨水流下塔２の上面部に載置されている。雨水流下塔２の下面部は台座３の上面部に載置され、台座３の下面部は装置本体４の上面部に載置されている。また、メモリアルオブジェクトＭ１を組み立てた後においても、少なくとも、雨水流下塔２、台座３、装置本体４、花立６及び網部材７は、それぞれ容易に取り外し可能にすることが望ましい。なお、降雨収集塔１は、雨水流下塔２の上面部に載置した後に、モルタル等により双方を一体化してもよい。また、花立６は必要に応じて装置本体４上に設けるようにしてもよい。
【００４３】
上記各部材のうち、降雨収集塔１、雨水流下塔２、台座３、装置本体４、回転容器部材５、花立６の材質は、硬質で風化し難い材質である石材、例えば、御影石等を用いて、機械加工等により所望の形状に加工して仕上げるようにする。網部材７は、碁盤の目状に微小な貫通穴を多数配列したステンレス鋼等の耐腐蝕性を有する部材から構成された網部材であって、降雨時に収集（取水）する雨水に含まれているゴミ（木の葉など）を除去するためのフィルター部材である。なお、図２に表示している「前」は、メモリアルオブジェクトＭ１の前側方向を、「後」は同じく後側方向を示している。また、他の図に表示している「前」、「後」も上記と同様のことを示している。
【００４４】
続いて、上記したメモリアルオブジェクトＭ１を構成する各部材について、その構成の特徴について説明する。
【００４５】
（降雨収集塔の構成）
降雨収集手段なる降雨収集塔１は、図３、図４に示すように平面視で長方形状をなし、その上面部には底面部から上方に向かって開口した凹状開口部を備えている。平面視で長方形状をなす凹状開口部の４つの側部（辺部）には、所定の高さを有する下り傾斜面１ａ、１ｂを形成している。また、凹状開口部の底面部からは山形形状をなす山形状突出部１ｈを垂直方向に立設させている。図３（図４）では、この山形状突出部１ｈは斜面１ｃ、１ｃ、１ｄ、１ｄを有する四角錐とした例を示しているが、円錐形状、あるいは他の形状を有する突出部としてもよい。
【００４６】
山形状突出部１ｈは、降雨時において、斜面１ｃ、１ｃ、１ｄ、１ｄを利用してより多くの量の雨水を収集するために設けたものであり、その高さは、メモリアルオブジェクトＭ１の外観上の見栄え（デザイン性）の良さ等を考慮して適切な高さを有するように設定する。
【００４７】
また、図３に示すように、凹状開口部の底面部の周辺部には平面視で長方形状をなすように平坦面部１ｅを設け、平坦面部１ｅの各辺には、ドリル加工により一つ又は複数の貫通穴１ｆを、底面部を貫通させるように形成している。
【００４８】
なお、図３では、平面視で長方形状をなす底部の平坦面部１ｅに貫通穴１ｆを設けた例を示しているが、この貫通穴１ｆの代わりに、図４（図５）に示すように、平坦面部１ｅの各辺に所定の長さを有するスリット状の穴１ｇ（図５に斜線で示している部分）を設けてもよい。
上記した貫通穴１ｆ又はスリット状の穴１ｇは、降雨時において降雨収集塔１の凹状開口部及び山形状突出部１ｈの斜面に降り注いで底部の平坦面部１ｅに流れ込んだ雨水を、雨水流下塔２の上面部に導くために設けたものである。
【００４９】
（雨水流下塔の構成）
雨水流下塔２は、所定の高さを有し、高さ方向と直交する方向の断面の形状は、例えば、長方形状、又は正方形状をなすようにする。また、図６（ａ）に示すように、雨水流下塔２の上面部（上端部）には平面視で長方形状、又は正方形状あるいは略正方形状をなす集水用凹部２ａを形成している。集水用凹部２ａの底部２ｂは、その中央部方向に向かって下り傾斜となる傾斜面を形成するとともに、底部２ｂの中央部には、雨水流下塔２の縦（高さ）方向に垂直に貫通する雨水流下用貫通穴２ｃを設けている。
【００５０】
図６（ｂ）は、雨水流下塔２の上面部に降雨収集塔１を載置したときの状態を示す正面図であって、雨水流下用貫通穴２ｃを点線で示している。図６（ｂ）に示すように、雨水流下用貫通穴２ｃは集水用凹部２ａの底部２ｂから雨水取水塔２の下面部までドリル加工により雨水流下塔２の内部を垂直方向に貫通して形成されている。なお、雨水流下用貫通穴２ｃの直径は、例えば、１５〜３０ｍｍ程度に設定する。
【００５１】
また、図６（ｂ）に示すように、雨水取水塔２の上面部に降雨収集塔１を載置したときには、降雨収集塔１に設けた貫通穴１ｆ（又はスリット１ｇ）の下端は、集水用凹部２ａの上面の開口部内に位置されるようにする。これにより、降雨収集塔１で収集した雨水は、貫通穴１ｆ（スリット１ｇ）を介して雨水流下塔２の上面部に形成した集水用凹部２ａ内に流れ込み、さらに、集水用凹部２ａから雨水流下塔２の雨水流下用貫通穴２ｃに流れ込む。雨水流下用貫通穴２ｃに流れ込んだ雨水は、雨水流下用貫通穴２ｃの内周面に沿って流下するとともに、その一部は雨水流下用貫通穴２ｃの空間部を落下して、雨水流下塔２の下面部（下端部）に達することになる。すなわち、貫通穴１ｆ（スリット１ｇ）と雨水流下用貫通穴２ｃとは、連通していることになる。
【００５２】
なお、図６には示していないが、雨水流下用貫通穴２ｃの上端部（集水用凹部２ａの底部２ｂの中央部に形成された開口部）には、雨水とともに流れてくるゴミを捕捉するために、例えばステンレス製の網部材（フィルター）を装着することが望ましい。
【００５３】
（台座の構成）
図７は、台座３の斜視図を示している。台座３は、所定の厚み（高さ）を有し、平面視で、例えば長方形状、又は正方形状あるいは略正方形状をなしている部材である。
図７は台座３の一実施形態を示し、台座３の上面部の中央部近傍には所定の深さを有し、上方に開口する四角形状の凹部３ａを設け、さらに、凹部３ａの底部３ｂには、雨水供給用貫通穴３ｃを設けた例を示している。また、平面視で凹部３ａの一辺側には凹部３ａの空間部が延設された空間突出部３ｄを形成してもよい。この空間突出部３ｄは、台座３の上面に雨水流下塔２の下面部を載置したときに、雨水流下塔２の下面部の一端部側に、凹部３ａと連通する隙間（空間部）を設けるために形成している。そして、この空間突出部３ｄの上面部には、図１（ｂ）（又は図２）に示すように、網部材７が装着される。なお、空間突出部３ｄは、凹部３ａの他の辺側にも形成してもよい。
【００５４】
凹部３ａの底部３ｂは、雨水供給用貫通穴３ｃに向かって下り傾斜となる傾斜面を形成するようにする。
そして、図２に示すように、台座３の上面部に雨水流下塔２の下面部を載置したときには、雨水流下塔２内に形成した雨水流下用貫通穴２ｃの下端部が台座３の上面部に形成した凹部３ａの上面空間部内に位置されるようにする。
【００５５】
なお、台座３は、図７に示す空間突出部３ｄを有する凹部３ａの形成に代えて、図８に示すように、平面視で長方形または正方形をなす凹部３ａ１を設け、台座３の上面に雨水流下塔２の下面部を載置したときに、雨水流下塔２の下面部の一端部側と凹部３ａ１の端部側との間に所定の幅の隙間が生じるようにして、この隙間に網部材７を装着するようにしてもよい。さらに、台座３の上面に雨水流下塔２の下面部を載置したときに、雨水流下塔２の下面部の他の端部側と凹部３ａ１の端部側との間にも所定の幅の隙間が生じるようにして、これら複数の隙間に網部材７を装着するようにしてもよい。
【００５６】
図９は、図８に示す台座３を装置本体４の上面部に載置して、台座３の凹部３ａ１の一端部側に網部材７を装着したときの状態を示す平面図であって、凹部３ａ１と、この凹部３ａ１に形成した雨水供給用貫通穴３ｃと、雨水流下塔２に設けた雨水流下用貫通穴２ｃ（点線で示す）との位置関係の一例を示している。図９に示すように、台座３の上面部に雨水流下塔２の下面部を載置したときには、雨水流下塔２内に形成した雨水流下用貫通穴２ｃの下端部が台座３の上面部に形成した凹部３ａ１の上面の開口部内に位置されるようにする。
【００５７】
台座３は上記した構成を備えているので、降雨収集塔１の上面部に降り注いだ雨水は降雨収集塔１により収集され、貫通穴１ｆ（又はスリット１ｇ）を介して雨水流下塔２に設けた雨水流下用貫通穴２ｃ内に流れ込む。雨水流下用貫通穴２ｃ内に流れ込んだ雨水は、雨水流下用貫通穴２ｃ内を流下して、台座３に設けた凹部３ａ１（又は３ａ）に落下して集められる。そして、台座３の凹部３ａ１（又は３ａ）に集められた雨水は、その底部３ｂに設けた雨水供給用貫通穴３ｃを通って、台座３の下面に配置されている装置本体４内に流下（落下）することになる。このように、雨水流下用貫通穴２ｃと雨水供給用貫通穴３ｃとは、台座３に設けた凹部３ａ１（又は３ａ）を介して連通されることになる。
【００５８】
なお、降雨時において、網部材７が配置されている雨水流下塔２の側面部に向かって降り注いだ雨水と、台座３の上面部であって網部材７が配置されている上面部側に降り注いだ雨水の一部は、網部材７を装着した空間部を介して凹部３ａ１（又は３ａ）内に流れ込むことになる。これにより、降雨時において、凹部３ａ１（又は３ａ）内に集められる雨水の量は、降雨収集塔１で収集した雨水と、網部材７を介して流れ込んだ雨水を加えた量になるので、凹部３ａ（３ａ１）内により多くの雨水を集めることが可能になる。
【００５９】
図１０は、花立６の斜視図を示している。花立６には、水を入れて生花を飾るための凹部６ａと、図１（ａ）に示すように、この花立６を装置本体４の上面部と台座３の上面部とに跨って安定した状態で設置するために、段差部６ｂを設けている。
【００６０】
（装置本体の構成）
続いて、装置本体４の構成を図１１〜図１４に基づいて説明する。装置本体４は、図１１（ａ）に示すように、上面部を正方形状、又は略正方形状あるいは長方形状をなす上部開口部４ａを有する箱型形状、すなわち、上部開口部４ａの各側辺部から下方に向けて形成された側面部４ｂ、４ｃ、４ｄ、４ｅと、これら側面部４ｂ〜４ｅの下端部に設けた底部４ｆ（図１１（ｃ）参照）を備えている。さらに、装置本体４は、これら側面部４ｂ〜４ｅと底部４ｆに囲まれた空間部４ｇを備えている。
【００６１】
また、装置本体４の対向する一対の側面部４ｂ、４ｃであって、空間部４ｇに面する面部側には、側面部４ｂ、４ｃの上端部の中央部から所定の幅Ｗと長さＬ１を有する溝部４ｈ、４ｉを底部４ｆ方向に向けて形成している（図１１（ｂ）、（ｃ）参照）。これらの溝部４ｈ、４ｉは、装置本体４において回転容器部材５を水平方向に支持する箇所になる。
さらに、側面部４ｂ〜４ｅのいずれか一つ又は複数の下端部であって底部４ｆに略接する位置には、一つ又は複数個の貫通穴４ｊを設けている。この貫通穴４ｊは、後述する回転容器部材５（図１４参照）を構成する雨水溜まり部材５ｂ１、５ｂ２、５ｂ３、・・・の雨水溜め用凹部５ｄ１、５ｄ２、・・・から底部４ｆに流下（落下）した雨水を装置本体４の外部に、すなわち、前記したメモリアルオブジェクトの設置場所に排出するための穴である。なお、貫通穴４ｊは、底部４ｆに設けてもよい。
【００６２】
装置本体４の下面部の４つの隅部には、図１（図１１（ａ）、（ｃ））に示すように、設置用突出部４ｋを設けている。この設置用突出部４ｋの下端部（下面部）は、メモリアルオブジェクトＭ１を前記したメモリアルオブジェクトの設置場所に設置したときに、この設置場所と接面する部位になる。
【００６３】
図１２は、装置本体４内に形成されている空間部４ｇに１個の回転容器部材５を水平方向に挿入して、この回転容器部材５の両側部に設けられている回転軸８、８を回転自在に支持したときの状態を示す断面図である。回転容器部材５の両側部に設けられている回転軸８、８は、溝部４ｈ、４ｉ内に嵌入した軸受９を介して水平方向に、かつ回転自在に支持されているので、回転軸８、８と一体に結合されている回転容器部材５も水平方向に支持され、かつ回転軸８、８を介して回転自在に装置本体４内に配置されている。これにより、回転容器部材５は、２つの回転軸８、８を結ぶ水平方向となる回転軸心Ｏを中心にして、装置本体４内に回転自在に支持されていることになる。
【００６４】
なお、図１１（ｃ）に点線で示す軸受支持部材１０は、回転軸８、８を回転自在に支持する軸受９の位置を溝部４ｈ（４ｉ）内において固定するために、溝部４ｈ（４ｉ）に挿入された部材である。軸受９の位置を溝部４ｈ（４ｉ）内で固定するための手段は、軸受支持部材１０を用いる他に、適宜適切な手段を採用することができる。軸受９としては、例えば、ボールベアリング等を用いた防水性（耐水性）の高い小型の軸受を用いるようにする。
【００６５】
（回転容器部材の構成）
続いて、回転容器部材５の構成の詳細を、図１２〜図１４を参照して説明する。回転容器部材５は、密閉可能な空間部（Ｋ）（図１２、図１４参照）を設けた円筒形状をなす密閉容器５ａと、密閉容器５ａの外周面部であって回転軸心Ｏ方向に、所定の間隔をおいて複数配設した雨水溜め部５ｂ１、５ｂ２、・・・と、密閉容器５ａの回転軸心Ｏ方向の両端部に着脱自在に装着される２つの蓋部材１１と、平面視でこれら蓋部材１１、１１の一方の側面部の中央部に設けた前記した回転軸８、等から構成されている。なお、本実施形態に係るメモリアルオブジェクトにおいて、密閉容器５ａ内に形成されている密閉可能な空間部Ｋは、被処理物（故人やペットの焼骨）を挿入して密閉するための空間部となる。
【００６６】
図１４に示す密閉容器５ａの回転軸心Ｏと直交する方向の断面図においては、外周面の断面形状は円形とした例を示しているが、多角形状、例えば、６角形、８角形等の多角形の形状としてもよい。なお、密閉容器５ａの外周面の形状を多角形とした場合には、多角形となる外周の平面部に、雨水溜め部５ｂ１、５ｂ２、・・・を設けるようにする。
【００６７】
密閉容器５ａを構成する蓋部材１１と回転軸８は、耐腐蝕性を備えているステンレス鋼製で金型鋳造等により一体成形とするか、あるいは、蓋部材１１と回転軸８を強度が高い合成樹脂（硬質合成樹脂）製、例えば、アクリル樹脂、ポリカーボネート樹脂、ポリエチレン樹脂、ＦＲＰ（繊維強化プラスチック）等のいずれかの材質から、合成樹脂の射出成型により一体成形により製造してもよい。
【００６８】
また、蓋部材１１を透明又は半透明の合成樹脂製としてもよい。蓋部材１１を透明又は半透明の合成樹脂製とした場合には、メモリアルオブジェクトを前記したメモリアルオブジェクトの設置場所に設置した後に、装置本体４内に配置した回転容器部材５を取り出して、その密閉可能な空間部（Ｋ）内に挿入した被処理物（例えば、焼骨など）が粉末化されている状態を、蓋部材１１を介して目視で確認することができるという効果が生じる。
【００６９】
蓋部材１１は、上記したように密閉容器５ａ内に設けた密閉可能な空間部（Ｋ）を密閉するための部材であって、平面視で円盤状をなす板部材である。蓋部材１１は、密閉容器５ａの回転軸心Ｏ方向の端面部に、着脱自在に固定される。この着脱自在に固定する手段としては、例えば、耐腐蝕性をもつステンレス鋼製のネジ又はビス等を採用することができる。これにより、焼骨などの被処理物を密閉容器５ａの密閉可能な空間部（Ｋ）への挿入と密閉、そして密閉後、例えば、所定の日数が経過した後に、密閉容器５ａから蓋部材１１を取り外して粉骨化された粉末を取り出すことが可能になる。被処理物は、密閉容器５ａ内の密閉可能な空間部（Ｋ）内に密閉状態で長い年月の間収納されることも有り得るが、密閉可能な空間部（Ｋ）は蓋部材１１により密閉されるので雨水や湿気などによる変質が防止される。
【００７０】
密閉容器５ａ内に設けた密閉可能な空間部（Ｋ）は、回転軸心Ｏ方向に形成された略円筒形状の空間をなし、その内周面の全面には、図１４に示すように、回転軸心Ｏと平行であり、回転軸心Ｏ方向に向いた複数の凹凸部５ｃ、・・・を形成している。図１４に示す例では、凹凸部５ｃの断面形状は、半円形をなす凹凸部５ｃを連接した状態に、すなわち、断面形状が鋭角状の先端部を有する凸状突起部５ｃ１と半円状の凹部５ｃ２とが交互に回転軸心Ｏ方向に所定の間隔をおいて形成された構成としている。また、この凹凸部５ｃは密閉可能な空間部（Ｋ）の内周面部に、密閉空間部Ｋの一端部から他端部まで回転軸心Ｏと平行となる方向に向けて形成している。
【００７１】
この凹凸部５ｃの形状は、図１４に示すように断面形状が半円形をなす凹凸部５ｃの他に、例えば、断面形状が三角形状の凹凸部を連接し、その角部を鋭角の凸状突起部５ｃ１とする等、適切な凹凸部を密閉容器５ａの内周面部に、回転軸心Ｏと平行な方向に１列、又は複数列、あるいは全面にわたって形成してもよい。
【００７２】
なお、密閉容器５ａを石材から製造するときに、この凹凸部５ｃを形成する方法は、例えば、次のようにして形成することができる。すなわち、所定の径を有する円柱状の石材について、その一端面部に設定された回転軸心Ｏから所定の半径の円に沿って、一端面部から他端面までドリル加工により、回転軸心Ｏ方向に沿うように所定の径の穴を順次連接させるように穿孔加工することにより形成することができる。
【００７３】
密閉容器５ａの外周面には、図１４に示すように、複数の雨水溜まり部５ｂ１、５ｂ２、・・・を、所定の間隔を設けて回転軸心Ｏと平行な方向に向かって形成している。また、これら雨水溜まり部５ｂ１、５ｂ２、・・・には、それぞれ所定量の雨水を溜めることができる凹部（以下、「雨水溜め用凹部」という）５ｄ１、５ｄ２、・・・を形成している。
【００７４】
図１４は、８個の雨水溜め部５ｂ１、５ｂ２、・・・を密閉容器５ａの外周面に等間隔で回転軸心Ｏ方向に形成して配置した例を示している。そして、図１４に示す例では、雨水溜まり部５ｂ１の雨水溜め用凹部５ｄ１の開口部の直上に、台座３の凹部３ａの底部３ｂに形成した雨水供給用貫通穴３ｃが位置している状態を示している。この状態において、降雨時の雨水が雨水供給用貫通穴３ｃから落下して雨水溜まり部５ｂ１の雨水溜め用凹部５ｄ１に所定量ほど溜まると、その雨水の重量により回転容器部材５はＳ１方向に所定の角度ほど回転し、次の雨水溜まり部５ｂ８の雨水溜め用凹部５ｄ８に雨水供給用貫通穴３ｃから落下する雨水が溜まることになる。このようにして、降雨時に収集した雨水の重量を利用して回転容器部材５をＳ１方向に、緩やかではあるが回転させることが可能になる。
【００７５】
なお、密閉容器５ａと雨水溜め用凹部５ｄ１、５ｄ２、・・・を有する雨水溜まり部５ｂ１、５ｂ２、・・・とが一体化された石材からなる回転容器部材５を製造するときには、この雨水溜まり部５ｂ１、５ｂ２、・・・の形成加工は、例えば、ドリル用切削工具等を用いて加工することができる。
回転容器部材５の大きさは、密閉容器５ａ内に挿入する被処理物を焼骨とした場合、回転軸心Ｏ方向の長さを２００〜２５０ｍｍ程度、回転軸心Ｏ方向と直交する方向の高さを１５０〜２００ｍｍ程度、密閉空間部Ｋの内径は１００〜１５０ｍｍ程度と小型化した回転容器部材５にすることが望ましい。
【００７６】
降雨時において、回転容器部材５の雨水溜め用凹部５ｄ１、５ｄ２、・・・には、順次、台座３に設けた雨水供給用貫通穴３ｃから落下した雨水の所定量が溜められる。例えば、上記したように、図１４に示す雨水溜まり部５ｂ１の雨水溜め用凹部５ｄ１に所定量の雨水が溜まると、この雨水の重量は回転容器部材５を、回転軸心Ｏを中心としてＳ１方向に回転させる回転モーメントとして作用する。この回転モーメントにより、回転容器部材５はＳ１方向に回転（回動）することになる。回転容器部材５がＳ１方向に回転すると、雨水供給用貫通穴３ｃから落下する雨水は、次の雨水溜まり部５ｂ８の雨水溜め用凹部５ｄ８、あるいはその次の雨水溜まり部５ｂ７の雨水溜め用凹部５ｄ７、等に溜められることになる。これにより、降雨中は、回転容器部材５は緩やかではあるがＳ１方向に、順次、間欠的に回転（回動）することが可能になる。
【００７７】
なお、本発明においては、雨水溜まり部５ｂ１、・・・等の雨水溜め用凹部５ｄ１、・・・等に、所定量の雨水を順次溜めてこの雨水の重力を利用した回転モーメントにより回転容器部材５を、例えば、Ｓ１方向に回転し易くするために、次の手段を採用することが望ましい。
【００７８】
すなわち、図１４に示すように、台座３の雨水供給用貫通穴３ｃから落下する雨水が、回転軸心Ｏを通りこの回転軸心Ｏと直交する垂直線Ｔからの水平距離Ｌ２が最も遠くなる位置にある雨水溜め用凹部内に向けて、極力直接的に落下するようにしている。このような手段を採用すると、図１４に示すように、垂直線Ｔからの水平距離Ｌ２が最も遠くなる位置にある雨水溜まり部５ｂ１の雨水溜め用凹部５ｄ１内に向けて、台座３の雨水供給用貫通穴３ｃから雨水を直接的に落下させるようにすると、この雨水の落下重力が雨水溜め用凹部５ｄ１に溜まった重力に付加されることになるので、回転容器部材５に作用する回転モーメントをより大きくすることが可能になる。
【００７９】
上記した手段を実現するためには、図１４に示すように、垂直線Ｔからの水平距離Ｌ２が最も遠くなる位置にある雨水溜まり部の雨水溜め用凹部の開口部の直上に、すなわち、垂直線Ｔからの水平距離がＬ２より小さいＬ３となる位置に、台座３の雨水供給用貫通穴３ｃを設けるようにするとよい。
なお、本発明においては、回転容器部材５の形状、大きさ、重量等を考慮して、最適な雨水溜まり部の形状と配置数、及び雨水溜め用凹部の体積を決定するようにする。例えば、上記した垂直線Ｔからの水平距離Ｌ３の値は、回転容器部材５の径（雨水溜まり部５ｂ１等を考慮した径）を考慮して適切な値を設定するようにする。
【００８０】
このようにして、本発明の一実施形態であるメモリアルオブジェクトＭ１は、降雨時において、台座３に設けた雨水供給用貫通穴３ｃから落下して雨水溜め用凹部５ｄ１、・・・に溜まった雨水の重量によって、回転容器部材５がＳ１方向へ回転すると、雨水供給用貫通穴３ｃから落下する雨水は、順次、雨水溜め用凹部５ｄ１、５ｄ２、・・・のいずれかに溜められることになるので、回転容器部材５はＳ１方向へ、緩やかではあるが連続的に、あるいは間欠的に回転することになる。
【００８１】
（メモリアルオブジェクトＭ１の設置手順）
上記構成からなるメモリアルオブジェクトＭ１を、前記したメモリアルオブジェクトの設置場所のいずれかに設置する手順の一例を説明すると、下記（１）〜（５）に記載のようになる。
【００８２】
（１）予め、回転容器部材５の密閉容器５ａ内の密閉可能な空間部（Ｋ）内に、前記したように比較的粉末化し易い固形物（被処理物）である、例えば、遺族の火葬後の焼骨を挿入して蓋部材１１により密閉容器５ａを密閉する。
（２）次に、装置本体４を前記したメモリアルオブジェクトの設置場所上に設置する。このとき、装置本体４の下面部（図１（ａ）に設けた４つの設置用突出部４ｋを前記したメモリアルオブジェクトの設置場所上に接地させるとともに、装置本体４の下面部（又は上面部）の向きは水平方向になるようにする。
【００８３】
（３）続いて、装置本体４内に回転容器部材５を水平になるように配置する。このとき、図１１（ｃ）に示すように、回転容器部材５の左右の端部に設けている回転軸８、８が軸受９を介して軸受支持部材１０により支持・固定されるようにする。これにより、回転容器部材５は、装置本体４内に水平方向が回転の中心（回転軸心Ｏ）となるように配置され、この回転軸心Ｏを中心として回転自在に配置されることになる。このようにして、焼骨を挿入した回転容器部材５は、前記したメモリアルオブジェクトの設置場所から上方に、所定の距離ほど空間を隔てて離れた位置に配置され、また装置本体４の上面部からは下方に所定の距離ほど空間を隔てた位置に配置されるので、故人の焼骨は、あたかも空中に配置されたような状態になる。これは、後述する本発明の他の実施形態に係るメモリアルオブジェクトＭ２〜Ｍ６においても同様である。
【００８４】
（４）装置本体４の上面部に台座３を載置する。このとき、前記したように、台座３に設けた雨水供給用貫通穴３ｃの下端部が回転容器部材５の直上であって、かつ平面視で回転軸心Ｏから所定の距離（図１４に示すＬ３）離れた位置になるように、台座３を装置本体４の上面部に載置する。
【００８５】
（５）次に、台座３の上面部に、雨水流下塔２を載置する。このとき、台座３の上面部に雨水流下塔２を安定した載置状態を維持するために、雨水流下塔２の下端（下面）部の面積を大きくする等、雨水流下塔２の下端部の形状を適切な形状にする等の対策を施すようにする。続いて、雨水流下塔２の上面部に降雨収集塔１を載置する。また、花立６を装置本体４の上に載置する。これにより、メモリアルオブジェクトＭ１の組み立と設置が完了する。この設置完了後の状態を示す図が図１（図２）である。
【００８６】
なお、上記した設置する手順においては、メモリアルオブジェクトの設置後に、降雨収集塔１、雨水流下塔２、台座３及び装置本体４は、容易に取り外しができるように設置することが望ましい。また、装置本体４内に回転自在に配置した回転容器部材５も、装置本体４から軸受支持部材１０とともに容易に取り外しができるようにする。
【００８７】
（メモリアルオブジェクトＭ１の作用と効果）
以上に説明した本発明の実施形態に係るメモリアルオブジェクトＭ１は、前記したメモリアルオブジェクトの設置場所に設置しておくことにより、次のような作用効果を発揮することができる。
【００８８】
自然現象である降雨が発生すると、降雨収集塔１の上に降り注いだ雨水、及び台座３上に配置した網部材７を介して取り込んだ雨水を利用して回転容器部材５を、前記したようにＳ１方向に回転させることができる。回転容器部材５が回転すると、密閉可能な空間部（Ｋ）内に挿入された被処理物（焼骨）も互いに接触しながら、かつ、密閉容器５ａの内面部に設けた凸状突起部５ｃ１に接触しながら回転、又は回動あるいは揺動する。このようにして、所定の雨量以上の降雨が発生する都度、密閉容器５ａの密閉可能な空間部（Ｋ）に密閉された焼骨は長い日数をかけて徐々に粉砕されていくことになる。
【００８９】
降雨時において、メモリアルオブジェクトＭ１の回転容器部材５はＳ１方向へ回転していく。そして、回転容器部材５がＳ１方向へ回転して、雨水溜め用凹部５ｄ１、・・・のいずれかが図１４に示す雨水溜め用凹部５ｄ２〜５ｄ４の位置に達すると、雨水溜め用凹部５ｄ１等に溜まった雨水は装置本体４の底部４ｆに落下する。底部４ｆに落下した雨水は、装置本体４に設けた貫通穴４ｊを介してメモリアルオブジェクトＭ１を設置している前記したメモリアルオブジェクトの設置場所上に排出される。
なお、装置本体４に設ける貫通穴４ｊの数と穴の径の大きさは、例えば、メモリアルオブジェクトＭ１の設置地域における過去の単位時間当たりの最大降雨量等を考慮して設定する。
【００９０】
回転容器部材５を石材製とし、この石材製の回転容器部材５を備えたメモリアルオブジェクトＭ１が寒冷地に設置された場合には、雨水溜まり部５ｂ１、５ｂ２、・・・のいずれかの雨水溜め用凹部５ｄ１、・・・内に残留した雨水は凍結する可能性がある。この雨水が凍結すると、その膨張により雨水溜まり部５ｂ１、５ｂ２、・・・にヒビ割れが発生する恐れがある。このヒビ割れを防止するために、図１４に示すように、雨水溜まり部５ｂ１、５ｂ２、・・・の側壁には、ヒビ割れ防止用の穴（貫通穴）５ｅを設けておくことが望ましい。
【００９１】
上記した本発明の実施形態に係るメモリアルオブジェクトＭ１の使用形態の一例としては、故人の焼骨を、例えば、公園墓地、あるいは合葬式の合同墓などに埋葬するまで、故人の焼骨を粉骨化するまでの過程となるメモリアルオブジェクトとして用いることが可能になる。
【００９２】
このように、本発明をメモリアルオブジェクトＭ１として用いた場合には、生成された遺灰について、この遺灰を収納する空間部を備えたダイヤモンド装身具や人工宝石、あるいはその一部をペンダントに入れたアクセサリー、小さく美観性の高い納骨器（骨壺）として自宅供養する、等の手元供養としての利用、あるいは故人の遺志に基づいて散骨が認められる場所での散骨を行うための粉骨を得ることが可能になる。このような効果は、後述するメモリアルオブジェクトＭ２〜Ｍ６についても同様である。
【００９３】
なお、本発明の実施形態となるメモリアルオブジェクトＭ１は、その全体の高さは５００〜１０００ｍｍ程度、このうち、雨水流下塔２の高さは３００〜４００ｍｍ程度、装置本体４の縦横の寸法を２５０〜３００ｍｍ程度と小型化することが可能になるので、設置の作業も容易になり、さらに設置する場所の面積も小さくすることができるという効果も生じる。
【００９４】
［第２の実施形態］
続いて、本発明の第２の実施形態に係るメモリアルオブジェクトＭ２について、図１５〜図１９を参照して説明する。第２の実施形態となるメモリアルオブジェクトＭ２は、装置本体内に回転容器部材５を２個配置した構成としたことに特徴がある。
【００９５】
図１５は、メモリアルオブジェクトＭ２を後方からみた斜視図である。メモリアルオブジェクトＭ２は、図１５及び図１６に示すように、雨水を取り込むための降雨収集塔２１、雨水流下塔２２、台座２３、装置本体２４、装置本体２４内に回転自在に配置され、密閉可能な空間部（Ｋ）を有する２つの回転容器部材（５−１）、（５−２）（図１９参照）、台座２３の上面部に装着された網部材２７、等を備えている。この回転容器部材（５−１）、（５−２）は、前記したメモリアルオブジェクトＭ１が備えている回転容器部材５と同じ構成を備えている。メモリアルオブジェクトＭ２は、２つの回転容器部材５−１と５−２を備えた構成としているので、前記したメモリアルオブジェクトＭ１と比較してその横幅寸法を大きくした構成にしている。
【００９６】
メモリアルオブジェクトＭ２をメモリアルオブジェクトの設置場所に設置するときには、図１５に示すように、２つの回転容器部材（５−１）、（５−２）を配置した装置本体２４の上面部に台座２３を載置し、続いて、台座２３の上面部に雨水流下塔２２を載置し、次に雨水流下塔２２の上面部に上蓋となる降雨収集塔２１を載置する。なお、図１５には、メモリアルオブジェクトＭ１が備えている花立６を示していないが、必要に応じてこの花立６を設けてもよい。
【００９７】
上記各部材のうち、降雨収集塔２１、雨水流下塔２２、台座２３、装置本体２４、回転容器部材５−１と５−２、花立の材質は、上記したメモリアルオブジェクトＭ１と同様に、硬質で風化し難い石材である御影石等を用いて、機械加工等により所望の形状に加工して仕上げることができる。網部材２７は、碁盤の目状に微小な貫通穴を多数配列したステンレス鋼等の耐腐蝕性を有する部材から構成された網部材であって、降雨時に取水する雨水に含まれているゴミ（木の葉など）を除去するための部材である。
【００９８】
（降雨収集塔）
続いて、上記した各部材について、その構造の概要について説明する。
降雨収集塔２１は、図１６（ａ）に示すように、第１の実施形態の降雨収集塔１よりも平面視で横幅が大きい長方形状をなしている。降雨収集塔１の上面部には、底面部から上方に向かって開口した凹状開口部を備えている。平面視で長方形状をなす凹状開口部の４つの側部（辺部）には、所定の高さを有する下り傾斜面２１ａ、２１ａ、２１ｂ、２１ｂを形成している。また、凹状開口部の底面部からは山形形状をなす山形状突出部２１ｈを垂直方向に立設させている。図１５（図１６）では、この山形状突出部２１ｈは斜面２１ｃ、２１ｃ、２１ｄ、２１ｄを有する四角錐とした例を示しているが、円錐形状、あるいは他の形状を有する突出部としてもよい。
【００９９】
また、図１６に示すように、凹状開口部の底面部の周辺部には平面視で長方形状をなすように平坦面部２１ｅを設け、平坦面部２１ｅの各辺にはドリル加工により一つ又は複数の貫通穴２１ｆを、底面部を貫通させるように形成している。なお、貫通穴２１ｆはスリット状の穴としてもよい。
【０１００】
上記した構成を備えている降雨収集塔２１の上面部に降雨が降り注いだときに、雨水を収集する作用は、前記した降雨収集塔１の作用と同様である。降雨収集塔２１の上面部で収集した雨水は、貫通穴２１ｆを介して雨水流下塔２２の上面部に流れ込むことになる。
【０１０１】
（雨水流下塔）
雨水流下塔２２は、図１６（ｂ）、（ｃ）に示すように所定の高さを有し、水平方向の断面形状は長方形状をなし、側面部には意匠性を高めるために複数の溝部２２ｄを水平方向に形成している。
雨水流下塔２２の上面部（上端部）には、平面視で長方形状をなす集水用凹部２２ａを形成している。集水用凹部２２ａの底部２２ｂは、その中央部に向かって下り傾斜となる傾斜面を形成するとともに、底部２２ｂの中央部には、雨水流下塔２２の高さ方向（垂直方向）に貫通する雨水流下用貫通穴２２ｃを設けている。図１６（ｃ）には、雨水流下塔２２の上面部に形成した集水用凹部２２ａと、雨水流下用貫通穴２２ｃの断面形状を点線で示している。
【０１０２】
雨水流下塔２２の上面部に降雨収集塔２１を載置したときには、降雨収集塔２１に設けた貫通穴２１ｆの下端は、集水用凹部２２ａの上面空間内に位置するようにする。これにより、上蓋２１の上面部に降り注いだ雨水は、貫通穴２１ｆを介して雨水流下塔２２の集水用凹部２２ａ内に流れ込み、さらに、雨水流下塔２２内に形成された雨水流下用貫通穴２２ｃに流れ込んで、雨水流下用貫通穴２２ｃ内を下方に向かって流下する。このように、貫通穴２１ｆは集水用凹部２２ａを介して雨水流下用貫通穴２２ｃと連通していることになる。
【０１０３】
（台座）
台座２３は、所定の厚み（高さ）を有し、図１７（ａ）に示すように、平面視で長方形状をなしている。また、台座２３の上面部の中央部近傍には所定の深さを有する雨水分配凹部２３ａを設けている。さらに、雨水分配凹部２３ａの底部２３ｂには、図１７（ｂ）に示すように、２つの雨水供給用貫通穴２３ｃ１、２３ｃ２を設けている。なお、図１７（ｂ）は、雨水分配凹部２３ａの上面の一端部側に網部材２７を装着したときの状態を示し、また、点線で示す２２ｃは、台座２３の上面部に雨水流下塔２２を載置したときに雨水流下塔２２に形成した雨水流下用貫通穴２２ｃの下端部の位置を示している。
【０１０４】
台座２３は、上記した構成を備えているので、降雨収集塔２１で収集された雨水は、雨水流下塔２２に設けた雨水流下用貫通穴２２ｃ内を流下して、台座２３に設けた雨水分配凹部２３ａ内に落下して集められる。そして、雨水分配凹部２３ａに集められた雨水は、雨水分配凹部２３ａの底部２３ｂに設けた２つの雨水供給用貫通穴２３ｃ１、２３ｃ２を通って装置本体２４内に落下することになる。このように、雨水流下用貫通穴２２ｃと雨水供給用貫通穴２３ｃ１、２３ｃ２とは、台座２３に設けた雨水分配凹部２３ａを介して連通されることになる。
【０１０５】
なお、降雨時において、網部材２７が配置されている側であって雨水流下塔２２の側面部に向かって降り注いだ雨水と、台座２３の上面部であって網部材２７が配置されている上面部側に降り注いだ雨水の一部は、網部材２７を介して雨水分配凹部２３ａ内に流れ込む。これにより、降雨時において、雨水分配凹部２３ａ内に集められる雨水の量は、降雨収集塔２１で収集した雨水量に、網部材２７を介して雨水分配凹部２３ａに流れ込んだ雨水量を加えた量になる。
図１５（図１７（ｂ））等においては、台座２３の上面部に網部材２７を装着して台座２３上から雨水を取込む手段は１ケ所のみ設けた例を示しているが、雨水分配凹部２３ａの他の側面にも雨水を取込む手段を設けて、より多くの雨水が収集できるようにしてもよい。
【０１０６】
（装置本体）
続いて、装置本体２４の構成を図１８〜図１９に基づいて説明する。装置本体２４は、図１８（ａ）に示すように、上面部が長方形状の上部開口部２４ａを有する箱型形状をなしている。さらに、この上部開口部２４ａの各側辺部から下方に向けて形成された側面部２４ｂ、２４ｃ、２４ｄ、２４ｅと、これら側面部２４ｂ〜２４ｅの下端部に設けた底部２４ｆ（図１８（ｂ）参照）を備え、これら側面部２４ｂ〜２４ｅと底部２４ｆに囲まれた部分には空間部２４ｇが形成されている。
【０１０７】
また、装置本体２４の対向する一対の横長の側面部２４ｂと２４ｃが空間部２４ｇに面する面側には、側面部２４ｂ、２４ｃの上端部から所定の幅Ｗと長さＬ１を有する２対の溝部２４ｈ１と２４ｉ１、及び２４ｈ２と２４ｉ２を底部２４ｆ方向に向けて設けている（図１８（ｂ）、（ｃ）参照）。さらに、側面部２４ｂ〜２４ｅのいずれか一つ又は複数についてその下端部であって底部２４ｆに略接する位置に、一つ又は複数個の貫通穴２４ｊを設けている。この貫通穴２４ｊは、底部２４ｆに落下した雨水を外部に排出するための穴である。なお、図１５、図１８に示す２４ｋは、メモリアルオブジェクトＭ２を前記したメモリアルオブジェクトの設置場所に設置するための設置用突出部である。
【０１０８】
装置本体２４に形成された空間部２４ｇは、前記した密閉可能な空間部（Ｋ）を有する回転容器部材５の２個（以下、回転容器部材（５−１）、（５−２）と記載する）を挿入するための空間部になる。また、対向して配置されている溝部２４ｈ１と２４ｉ１、及び２４ｈ２と２４ｉ２は、これらの回転容器部材（５−１）、（５−２）に設けた回転軸８を、軸受９を介して水平方向に固定するために設けた溝部である。そして、溝部２４ｈ１と２４ｉ１、及び２４ｈ２と２４ｉ２に挿入された軸受９は、軸受支持部材１０により支持・固定される。これにより、２つの回転容器部材（５−１）と（５−２）は、装置本体２４内に水平方向に支持され、かつ、回転軸心Ｏを中心として回転自在になる。なお、軸受９は、前記したように、ボールベアリング等を用いた防水性の高い軸受を用いるようにする。
【０１０９】
装置本体２４内に回転自在に支持される２つの回転容器部材（５−１）と（５−２）のそれぞれの構成例は、前記した第１の実施形態において図１２〜図１４に基づいて説明した回転容器部材５の構成と同一の構成にすることができるので、その構成の説明は省略する。
【０１１０】
装置本体２４内に２つの回転容器部材（５−１）と（５−２）を配置したときの平面図を示す図１９において、点線の丸印で示す２３ｃ１、２３ｃ２は、台座２３の凹部２３ａの底部２３ｂに設けた２つの雨水供給用貫通穴２３ｃ１、２３ｃ２（図１７（ｂ）参照）の位置を示している。
このうち、雨水供給用貫通穴２３ｃ１は、雨水流下塔２２の雨水流下用貫通穴２２ｃの下端部から落下して台座２３の雨水分配凹部２３ａ内に流れ込んだ雨水を、２つの回転容器部材（５−１）と（５−２）のうちの一方の回転容器部材の雨水溜まり部５ｂ１、・・・のいずれかに向けて落下させる穴になる。また、雨水供給用貫通穴２３ｃ２は、雨水分配凹部２３ａ内に流れ込んだ雨水を、２つの回転容器部材（５−１）と（５−２）のうちの他方の回転容器部材の雨水溜まり部５ｂ１、・・・のいずれかに向けて落下させる穴になる。
【０１１１】
そして、雨水分配凹部２３ａに形成した雨水供給用貫通穴２３ｃ１、２３ｃ２から流下した雨水の所定量が回転容器部材（５−１）と（５−２）のいずれかの雨水溜め用凹部５ｄ１等に溜まると、この溜まった雨水の重量による回転モーメントが作用して回転容器部材（５−１）、（５−２）は所定方向に回転することになる。この回転容器部材（５−１）、（５−２）が雨水の重量による回転とこの回転による作用は、前記第１の実施形態に係るメモリアルオブジェクトＭ１で説明した通りであるが、この第２の実施形態に係るメモリアルオブジェクトＭ２においては、降雨時に収集した雨水を利用して２つの回転容器部材（５−１）と（５−２）を回転させることが可能になるという特徴を備えている。
【０１１２】
このように、図１７に示す雨水分配凹部２３ａを備えた台座２３は、降雨収集塔２１等で収集した雨水を、２個の回転容器部材（５−１）、（５−２）のそれぞれが備えている雨水溜め用凹部５ｄ１等に分配して供給するための手段になる。
【０１１３】
なお、台座２３の雨水分配凹部２３ａの底部２３に形成する２つの雨水供給用貫通穴２３ｃ１と２３ｃ２（図１７（ｂ）参照）の位置は、図１９に示すように、平面視で２つの回転軸心Ｏの間であって、それぞれの回転軸心Ｏから所定の距離をおいた回転容器部材５のいずれかの雨水溜め用凹部の直上に配置するようにすることが望ましい。図１９に示す例では、２つの回転容器部材（５−１）と（５−２）は、雨水の重量を利用してそれぞれ異なった方向に回転することになる。
【０１１４】
この第２の実施形態に係るメモリアルオブジェクトＭ２は、例えば、その全体の高さは６００〜１０００ｍｍ程度、装置本体２４の縦横の寸法は３００〜５００ｍｍ程度と、メモリアルオブジェクトＭ１と比較して横幅が若干大きくなるが、小型化されたメモリアルオブジェクトとすることができる。なお、メモリアルオブジェクトＭ２を前記したメモリアルオブジェクトの設置場所上に設置する手順は、前記したメモリアルオブジェクトＭ１を設置する手順と同じである。
【０１１５】
上記した本発明の第２の実施形態に係るメモリアルオブジェクトＭ２は、２つの回転容器部材（５−１）と（５−２）を備えているので、それぞれの回転容器部材の密閉容器５ａ内に、例えば、異なる故人の方（ご両親）の焼骨、あるいは故人の焼骨とこの故人が可愛がっていたペット等の焼骨を挿入して密閉することにより、この焼骨を粉末（粉骨）化することができる。これにより、メモリアルオブジェクトＭ２は、前記したメモリアルオブジェクトＭ１と同様に、焼骨が雨水を利用して粉骨化されるまでの過程の装置として、そして、粉骨化後の任意の時期に一般の墓石や合葬式の合同墓、あるいは自宅に保管する収骨器（骨壺）に収骨しようとする場合において、その容積を１／３〜１／４にすることができるので、将来の埋葬環境を考慮したメモリアルオブジェクトとすることができる。
【０１１６】
また、このメモリアルオブジェクトＭ２は、メモリアルオブジェクトＭ１と同様に、既に無縁墓となった墓碑内の遺骨を、長い期間をかけて弔いながら粉骨化する装置としても利用することができる。これにより無縁の遺骨を粉骨化してその容積を大幅に減少させることができるので、合葬式の無縁合同墓の設置面積を小さくすることができるという効果も生じる。
【０１１７】
［第３の実施形態］
続いて、本発明の第３の実施形態に係るメモリアルオブジェクトＭ３について、図２０〜図２４を参照して説明する。このメモリアルオブジェクトＭ３は、装置本体内に回転容器部材を３個配置したことに特徴がある。
【０１１８】
図２０は、メモリアルオブジェクトＭ３を後方からみたときの斜視図である。メモリアルオブジェクトＭ３は、雨水落下塔３２と、台座３３と、装置本体３４と、装置本体３４内に回転自在に配置され、密閉可能な空間部（Ｋ）を有する３つの回転容器部材（５−１）、（５−２）、（５−３）（図２４参照）を備えている。そして、メモリアルオブジェクトＭ３においては、装置本体３４の上面部に台座３３が載置され、台座３３の上面部に雨水落下塔３２が載置されている。
【０１１９】
雨水落下塔３２は、正面視においては所定の厚さを有する平板状の多角形状をなしている。雨水落下塔３２を正面視で多角形状にした理由は、メモリアルオブジェクトＭ３の外観上の意匠性を高めるためである。図２０（図２１）に示す例では、正面視で、雨水落下塔３２の形状は略５角形状（星形形状）をなすようにしている。
なお、雨水落下塔３２を正面からみた形状は、図２０に示す概略星形の形状の他に、６角形状、８角形状等の多角形状、あるいは意匠性を持たせた適切な形状を採用することが望ましい。
【０１２０】
この雨水落下塔３２は、前記した第１及び第２の実施形態で説明した降雨収集塔１と雨水落下塔２、又は降雨収集塔２１と雨水落下塔２２とを一体化した機能、すなわち、降雨による雨水を収集する機能と、この収集した雨水を集めて台座３３の方向に向けて流下させる機能を備えていることに特徴がある。
【０１２１】
雨水落下塔３２の構成を、図２１（ａ）、（ｂ）に基づいて詳細に説明すると次のようになる。雨水落下塔３２の正面視の形状は略５角形状をなし、その上方部の中央部から山形状に上方に向かって突出する山形状突出部３２ａを設け、さらに、この山形状突出部３２ａの基部には、左右方向に、かつ略水平方向に所定の長さほど突出する水平突出部３２ｂと３２ｃと、この雨水落下塔３２を装置本体３４の上面部に安定した状態で載置するための基台部３２ｄ、等を設けている。
【０１２２】
さらに、図２１（ｂ）に示すように、水平突出部３２ｂと３２ｃの上面部には所定の長さと幅及び溝深さを有する凹部となる雨水収集用凹部３２ｅ、３２ｆをそれぞれ形成している。そして、これらの雨水収集用凹部３２ｅ、３２ｆの底部は、雨水落下塔３２の内部の中央部に向けて傾斜する斜面とし、雨水収集用凹部３２ｅ、３２ｆは貫通穴３２ｉを介して、雨水収集用凹部の雨水流下用貫通穴３２ｈに連通させている。雨水流下用貫通穴３２ｈは、雨水収集用凹部の下面部まで垂直方向に形成された穴である。
【０１２３】
なお、それぞれの水平突出部３２ｂと３２ｃの上面部には、その縁部から雨水収集用凹部３２ｅ、３２ｆ方向に向かって下り傾斜となる傾斜面３２ｇを形成することが望ましい。雨水収集用凹部３２ｅ、３２ｆは降雨時等において、水平突出部３２ｂと３２ｃの上面部に降り注いだ雨水、及び山形状突出部３２ａの傾斜側面部に降り注いだ雨水を収集して取り込むための凹部、すなわち、降雨による雨水を収集する機能を実現する手段になる。また、雨水収集用凹部３２ｅ、３２ｆと雨水流下用貫通穴３２ｈは、雨水落下塔３２で収集した雨水を集めて台座３３の方向に向けて流下させる機能を実現する手段になる。
【０１２４】
雨水収集用凹部３２ｅ、３２ｆの上部には、ステンレス鋼製等の網部材３７ａを装着して雨水収集用凹部３２ｅ、３２ｆ内にゴミが侵入することを防止している。また、山形状突出部３２ａの傾斜側面部に装着している網部材３７ｂもテンレス鋼製等からなっている。この網部材３７ｂは、意匠性を高めるための装飾用の部材であって、耐腐蝕性を有するネジ部材を用いて山形状突出部３２ａの側面部に固定している。
なお、この山形状突出部３２ａの傾斜側面部にも上記した雨水収集用凹部３２ｅ、３２ｆと同様の凹部を傾斜するように形成して網部材３７ｂを装着し、降雨時においてこれら凹部に取り込んだ雨水をそれぞれ雨水収集用凹部３２ｅ、３２ｆに流下させるようにしてもよい。
【０１２５】
雨水落下塔３２は上記した構成を備えているので、降雨時に雨水収集用凹部３２ｅ、３２ｆに流れ込んだ雨水は、雨水収集用凹部３２ｅ、３２ｆから貫通穴３２ｉを通って雨水流下用貫通穴３２ｈの上方に流れていき、さらに雨水流下用貫通穴３２ｈ内を下方に向けて流下することになる。なお、石材からなる雨水落下塔３２を石材製とした場合には、雨水取水塔３２に、雨水流下用貫通穴３２ｈ、雨水収集用凹部３２ｅ、３２ｆ、及び貫通穴３２ｉの形成は、ドリル加工等に形成する。
【０１２６】
（台座）
次に、台座３３の構成を図２２に基づいて説明する。台座３３は、図２２（ａ）、（ｂ）に示すように、所定の厚さ（高さ）を有し、平面視で長方形状をなし、その上面部の中央部近傍には所定の深さを有する雨水分配凹部３３ａを設け、さらに、雨水分配凹部３３ａの底部３３ｂには３つの雨水供給用貫通穴３３ｃ１、３３ｃ２、３３ｃ３を設けている。なお、図２２（ｂ）において、点線で示す３２ｈは、台座３３の上面部に雨水落下塔３２を載置したときに、雨水落下塔３２に形成した雨水流下用貫通穴３２ｈの基部３２ｄの下端面における開口部の位置を示している。すなわち、台座３３の上面部に雨水落下塔３２を載置したときには、雨水落下塔３２に形成されている雨水流下用貫通穴３２ｈの下端部における開口部は、雨水分配凹部３３ａの上方開口部内に位置させることを示している。
【０１２７】
なお、雨水分配凹部３３ａの底部３３ｂに３つの雨水供給用貫通穴３３ｃ１、３３ｃ２、３３ｃ３を設ける位置は、後述するように、装置本体３４内に配置された３個の回転容器部材（５−１）、（５−２）、（５−３）のそれぞれの雨水溜め用凹部５ｄ１等の直上の位置であって、それぞれの回転容器部材の回転軸心Ｏから所定の距離ほど離れた位置になるようにする。
【０１２８】
また、台座３３の上面部に雨水落下塔３２を載置した際には、雨水分配凹部３３ａの長手方向の一方の端部、あるいは複数の端部には所定の隙間が生じるようにして、この隙間に、図２０に示すように網部材３７ｃを装着する。これにより、雨水落下塔３２の後側の側面などと、台座３３の上面部であってこの網部材３７ｃを装着した上面部に降雨した雨水の一部も、網部材３７ｃを介して台座３３に形成した雨水分配凹部３３ａ内に取り込むことができるので、より多くの雨水を雨水分配凹部３３ａ内に取り込むことが可能になる。
【０１２９】
台座３３は上記した構成を備えているので、降雨時において、雨水落下塔３２に形成された雨水流下用貫通穴３２ｈを流下した雨水と、台座３３の網部材３７ｃを通過した雨水は、台座３３の雨水分配凹部３３ａ内に取り込まれる。そして、雨水分配凹部３３ａ内に取り込まれた雨水は、３つの雨水供給用貫通穴３３ｃ１、３３ｃ２、３３ｃ３を介して装置本体３４に向けて落下する。
【０１３０】
雨水供給用貫通穴３３ｃ１、３３ｃ２、３３ｃ３から落下した雨水は、雨水供給用貫通穴３３ｃ１、３３ｃ２、３３ｃ３の位置に対応して装置本体３４内に回転自在に配置されているそれぞれの回転容器部材（５−１）、（５−２）、（５−３）の雨水溜め用凹部５ｄ１等に供給されることになる。
【０１３１】
（装置本体）
続いて、装置本体３４の構成について説明する。装置本体３４は、回転容器部材を３つ配置するために、前記した回転容器部材を２つ配置したメモリアルオブジェクトＭ２の装置本体２４と比較して、その横幅を少し大きくした構成としている。従って、装置本体３４の基本的な構成は、回転容器部材を３つ配置可能とした構成以外は、前記した装置本体２４と同様であるので、図２３〜図２４に基づいてその構成の概要のみを説明する。
【０１３２】
図２３（ａ）に示すように、装置本体３４は、上面部が長方形状をなす上部開口部３４ａを有する箱型形状をなし、この上部開口部３４ａの各側辺部から下方に向けて形成された側面部３４ｂ、３４ｃ、３４ｄ、３４ｅと、これら側面部３４ｂ〜３４ｅの下端部に設けた底部３４ｆ（図２３（ｃ）参照）を備えている。そして、これら側面部３４ｂ〜３４ｅと底部３４ｆとに囲まれた空間部３４ｇを備えている。
【０１３３】
また、装置本体３４の対向する横長の一対の側面部３４ｂと３４ｃが空間部３４ｇに面する面部には、側面部３４ｂ、３４ｃの上端部から所定の幅Ｗと長さＬ１を有する３対の溝部３４ｈ１と３４ｉ１、３４ｈ２と３４ｉ２、及び３４ｈ３と３４ｉ３を底部３４ｆ方向に向けて設けている（図２３（ｂ）、（ｃ）参照）。さらに、側面部３４ｂ〜３４ｅのいずれか一つ又は複数の下端部であって底部３４ｆに略接する位置に、一つ又は複数個の貫通穴３４ｊを設けている。この貫通穴３４ｊは、底部３４ｆに落下した雨水を外部に排出するための穴である。
【０１３４】
装置本体３４に形成された空間部３４ｇは、前記した密閉可能な空間部（Ｋ）を有する３個の回転容器部材（５−１）、（５−２）、（５−３）を挿入して配置するための空間部になる。なお、溝部３４ｈ１と３４ｉ１、３４ｈ２と３４ｉ２、及び３４ｈ３と３４ｉ３は、これら３個の回転容器部材に設けられている回転軸８を回転自在に支持するための軸受９を挿入して、この軸受９の位置を固定する手段となる軸受支持部材１０を装着するための溝部である（図２３（ｃ）参照）。
【０１３５】
これにより、装置本体３４内に配置した３個の回転容器部材（５−１）、（５−２）、（５−３）は、図２４に示すように、装置本体３４内において水平方向に支持され、かつ、回転軸心Ｏを中心として回転自在に配置されることになる。
なお、図２０、図２３に示す３４ｋは、本体装置部３４の下面部の短辺側の側面に設けた設置用突出部である。
【０１３６】
装置本体３４内に回転自在に支持される３つの回転容器部材（５−１）、（５−２）、（５−３）のそれぞれの構成は、前記した第１の実施形態において図１３〜図１４に基づいて説明した回転容器部材５の構成と同一の構成にすることができるので、その構成の説明は省略する。
図２４は、装置本体３４内に３個の回転容器部材（５−１）、（５−２）、（５−３）を配置したときの配置例を示すとともに、装置本体３４の上面部に台座３３を載置したときに、装置本体３４内に３個の回転容器部材（５−１）、（５−２）、（５−３）の配置位置に対応させて、台座３３に形成した雨水分配凹部３３ａの底部３３ｂに設けた３つの雨水供給用貫通穴３３ｃ１、３３ｃ２、３３ｃ３の位置を点線の丸印で示している。
【０１３７】
図２４に示す雨水供給用貫通穴３３ｃ１は、台座３３の雨水分配凹部３３ａ内に流れ込んだ雨水を、３個の回転容器部材のうちの回転容器部材（５−１）の直上であって平面視でこの回転容器部材の回転軸心Ｏから所定の距離ほど離れた位置に配置され、この雨水供給用貫通穴３３ｃ１から落下した雨水は、回転容器部材（５−１）の雨水溜め用凹部５ｄ１、５ｄ２、・・・のいずれかに溜まることになる。
【０１３８】
同様に、雨水供給用貫通穴３３ｃ２は、台座３３の雨水分配凹部３３ａ内に流れ込んだ雨水を、３個の回転容器部材のうちの回転容器部材（５−２）の直上であってこの回転容器部材の回転軸心Ｏから所定の距離ほど離れた位置に配置され、この雨水供給用貫通穴３３ｃ２から落下した雨水は、回転容器部材（５−２）の雨水溜め用凹部５ｄ１、５ｄ２、・・・のいずれかに溜まることになる。
雨水供給用貫通穴３３ｃ３も上記と同様であって、雨水供給用貫通穴３３ｃ３から落下した雨水は、回転容器部材（５−３）の雨水溜め用凹部５ｄ１、５ｄ２、・・・のいずれかに溜まることになる。
【０１３９】
このように、図２０（図２２）に示す台座３３は、雨水落下塔３２で取り込んだ雨水と、網部材３７ｃを介して取り込んだ雨水を、３個の回転容器部材（５−１）、（５−２）、（５−３）が備えている雨水溜め用凹部に分配して供給するための手段になる。
そして、貫通穴３３ｃ１、３３ｃ２、３３ｃ３から落下した雨水の所定量がそれぞれの回転容器部材（５−１）、（５−２）、（５−３）の雨水溜め用凹部５ｄ１、５ｄ２、・・・のいずれかに溜まると、この溜まった雨水の重量による回転モーメントが作用して、回転容器部材は（５−１）、（５−２、（５−３）は所定の方向に回転することになる。
【０１４０】
このように、メモリアルオブジェクトＭ３では、降雨時に取り込んだ雨水を利用して３つの回転容器部材（５−１）、（５−２）、（５−３）を回転させることが可能になる。なお、この回転容器部材（５−１）、（５−２）、（５−３）を、雨水を利用して回転させてそれぞれの密閉可能な空間部（Ｋ）に挿入された被処理物（焼骨）を粉骨化する作用は、前記第１の実施形態に係るメモリアルオブジェクトＭ１で説明した通りである。
【０１４１】
上記したメモリアルオブジェクトＭ３は、その全体の高さは１０００ｍｍ程度、装置本体３４の大きさは縦方向の長さを３００ｍｍ、横方向の長さを７００ｍｍ程度と比較的に小型化することが可能になる。従って、前記したメモリアルオブジェクトＭ１、Ｍ２と同様に、例えば、このメモリアルオブジェクトＭ３をメモリアルオブジェクトの設置場所への設置から長い日数が経過して焼骨が粉骨化された後の任意の時期に、家族の事情に基づいて適切な供養手法を選択することができる。
このように、メモリアルオブジェクトＭ３は、例えば、合葬式の合同墓などに埋葬するまでの故人の遺骨を長い日数をかけて故人を偲びながら粉骨化するまでの過程として使用する装置として利用することができる。なお、メモリアルオブジェクトＭ３をメモリアルオブジェクトの設置場所上に設置する手順は、雨水流下塔３２の上面部に雨水取り込み部材（上蓋）を載置する必要がない以外は、前記したメモリアルオブジェクトＭ１を設置する手順と同様である。
【０１４２】
上記したメモリアルオブジェクトＭ３は、３個の回転容器部材（５−１）、（５−２）、（５−３）を備えたメモリアルオブジェクトとした例であるが、さらに、４個以上の回転容器部材５を装置本体内に配置したメモリアルオブジェクトを製作することもできる。この場合には、例えば、装置本体内に２列にわたって回転容器部材を挿入する空間部を設けて４個以上の回転容器部材を備える構成にし、雨水落下塔で収集した雨水を台座に設けた雨水分配凹部内に集め、この雨水をそれぞれの回転容器部材に向けて落下させるようにする。
なお、４個の回転容器部材を備えたメモリアルオブジェクトの構成例については、後述する第６の実施形態において説明する。
【０１４３】
［第４の実施形態］
続いて、本発明の第４の実施形態に係るメモリアルオブジェクトＭ４を、図２５〜図２６に基づいて説明する。図２５は、メモリアルオブジェクトＭ４の回転軸心Ｏ方向に対する部分縦断面図、図２６は図２５において回転軸心Ｏ方向と直交する方向の部分縦断図である。
メモリアルオブジェクトＭ４は、図２に示す回転容器部材５を１つ備えたメモリアルオブジェクトＭ１について、降雨時において降雨収集塔１により収集した雨水を、雨水流下塔２の上方部から回転容器部材５の雨水溜まり部５ｂ１、５ｂ２、・・・のいずれかに向けて「直接的に落下させる」構成にしたことに特徴がある。
【０１４４】
なお、この「直接的に落下させる」とは、降雨収集塔１により収集した雨水を、雨水流下塔２の内部に垂直方向に形成した雨水流下用貫通穴の上方部から回転容器部材５の雨水溜まり部５ｂ１、５ｂ２、・・・のいずれかに直接的に落下させることを示す。すなわち、降雨収集塔１で収集した雨水を、降雨収集塔１の雨水流下用貫通穴や、台座に形成した雨水供給用貫通穴の内周面上に沿って、かつ内周面と接触しながら流下させるのではなく、雨水の全て、あるいはほとんど全てを、雨水流下用貫通穴の上方部から垂直方向にこれら雨水流下用貫通穴や雨水供給用貫通穴の垂直方向の中心線近傍に沿って落下させることを意味する。
【０１４５】
図２５〜図２６に示すメモリアルオブジェクトＭ４において、雨水を「直接的に落下」させるために次の手段１、手段２を採用している。
【０１４６】
（手段１）
雨水流下塔２の上面部に形成した集水用凹部２ｄ（図２５に点線で図示）の底部から垂直方向（縦方向）に所定の長さ（Ｌ５）を有する位置決め用貫通穴２ｅを形成する。さらに、この位置決め用貫通穴２ｅの下端部と連接させた雨水流下用貫通穴２ｆを、雨水流下塔２の下面部まで垂直方向に長さ（Ｌ６）を有するように形成する。そして、雨水流下用貫通穴２ｆの径（ｄ２）を位置決め用貫通穴２ｅの径（ｄ１）より大きくするとともに、位置決め用貫通穴２ｅと雨水流下用貫通穴２ｆの垂直方向の中心線Ｖは、一致又はほぼ一致させる。
【０１４７】
（手段２）
台座３には、図２５に示すように、上面部から下面部に貫通する貫通穴３ｆを形成する。なお、貫通穴３ｆの形状は、例えば、平面視で矩形状とし、その水平方向の穴の大きさ（縦横の寸法）は、台座３の上面部に雨水流下塔２の下面部を載置したときに、雨水流下塔２の雨水流下用貫通穴２ｆ内を直接的に落下した雨水は、同じく台座３に形成した貫通穴３ｆの内周面に極力接触しないで直接的に落下するような大きさにする。また、図２５に示すように貫通穴３ｆの上面部の形状は、網部材３７を通過した雨水も貫通穴３ｆ内に流れ込むように、網部材３７を装着する空間部を設けるようにする。
【０１４８】
なお、上記した位置決め用貫通穴２ｅの長さＬ５、雨水流下用貫通穴２ｆの長さＬ６、位置決め用貫通穴２ｅの径ｄ１、雨水流下用貫通穴２ｆのｄ２の値は、例えば、Ｌ５は２０ｍｍ程度、Ｌ６は雨水流下塔２の高さの仕様に基づくが、例えば３００〜４００ｍｍ程度にする。また、雨水流下用貫通穴２ｆの径ｄ２は、位置決め用貫通穴２ｅの径ｄ１の少なくとも１．５倍以上、好ましくは２〜４倍程度にする。例えば、位置決め用貫通穴２ｅの径ｄ１は１０〜２０ｍｍ程度、雨水流下用貫通穴２ｆの径ｄ２は２０〜８０ｍｍ程度に設定する。これにより、雨水は雨水流下塔２に形成した雨水流下用貫通穴２ｆを直接的に落下することが可能になる。
【０１４９】
なお、上記した位置決め用貫通穴２ｅについて、その垂直方向の下端部、すなわち、雨水流下用貫通穴２ｆの上端部と連通する部分の径を、径ｄ１より若干径を細くして、位置決め用貫通穴２ｅを通過した雨水が雨水流下用貫通穴２ｆの中心線Ｖに沿ってより垂直に直接的に落下させるようにしてもよい。
【０１５０】
続いて、メモリアルオブジェクトＭ４により収集した雨水が、回転容器部材５を回転させる作用について説明する。
降雨時において、降雨収集塔１により収集した雨水は、雨水流下塔２の上面部に設けた集水用凹部２ｄに流れ込む。そして、集水用凹部２ｄに流れ込んだ雨水は長さ（Ｌ５）が２０ｍｍ程度、径（ｄ１）が１０〜２０ｍｍ程度の位置決め用貫通穴２ｅ内に流入して垂直方向に向かって流下するようにその流れ方向が規制される。そして、位置決め用貫通穴２ｅの下端部から流出した雨水の全て又は大部分は、雨水流下用貫通穴２ｆの空間部内を垂直に落下する流れとなる。
【０１５１】
このとき、雨水流下用貫通穴２ｆの径ｄ２は、位置決め用貫通穴２ｅの径ｄ１の２〜４倍程に設定しているので、雨水流下用貫通穴２ｆの空間部を垂直に落下する雨水の大部分は、雨水流下用貫通穴２ｆの内周面と接触することなく、雨水流下用貫通穴２ｆの垂直方向の中心線Ｖに沿った流れとなって雨水流下用貫通穴２ｆ内と、台座３に設けた貫通穴３ｆ内を直接的に、かつ垂直に落下する。そして、台座３の貫通穴３ｆ内を落下した雨水は、回転容器部材５の外周面部、すなわち、平面視で回転軸心Ｏから所定の距離ほど離れた位置となる雨水溜め部５ｂ１、５ｂ２、５ｂ３、・・・のいずれか、又はこれらの雨水溜め用凹部５ｄ１等の開口部上に直接に落下することになる。
【０１５２】
このようにして、雨水が雨水流下用貫通穴２ｆの上方部から回転容器部材５の外周面部であって回転軸心Ｏから所定の距離離れた位置に、直接的に、かつ集中して落下すると、回転容器部材５の外周面部には直接的に落下する雨水の重力（雨水の落下重力）が作用するとともに、落下した雨水は雨水溜め用凹部５ｄ１、５ｄ２、・・・のいずれかに溜まることになる。この雨水の落下重力は、回転容器部材５をＳ１又はＳ２方向に回転させる回転モーメントを付加させる力（付勢力）として作用することになる。
【０１５３】
上記構成を備えたメモリアルオブジェクトＭ４は、回転容器部材５をＳ１又はＳ２方向に回転させようとする回転モーメントは、前記したメモリアルオブジェクトＭ１〜Ｍ３よりも大きくすることができる。これにり、メモリアルオブジェクトＭ４では、降雨時において、雨水を利用して回転容器部材５をメモリアルオブジェクトＭ１〜Ｍ３よりも容易に回転させることが可能になり、かつ、その単位時間当たりの回転数を上げることも可能になる。特に、単位時間当たりの降雨量が多い降雨時には、回転容器部材５の単位時間当たりの回転数を上げることが可能になる。
【０１５４】
このように、メモリアルオブジェクトＭ４では、時間当りの降雨量が多い降雨時において、回転容器部材５の単位時間当たりの回転数を多くすることが可能になるので、回転容器部材５の密閉容器５ａ内に密閉状態で挿入されている被処理物（焼骨）は、焼骨どうしの接触と、凸状突起部５ｃ１との接触の回数が増加するので、焼骨の粉末化がより促進されることになる。
【０１５５】
［第５の実施形態］
続いて、本発明の第５の実施形態に係るメモリアルオブジェクトＭ５を、図２７に基づいて説明する。メモリアルオブジェクトＭ５は、前記した回転容器部材５を２個備えたメモリアルオブジェクトＭ２（図１５参照）について、上記したメモリアルオブジェクトＭ４と同様に、降雨収集塔２１で取り込んだ雨水を、２個の回転容器部材（図２７に示す（５−１）と（５−２））の外周面部上に直接的に落下させて、降雨時の雨水を利用してこれら２個の回転容器部材を回転し易くしたものである。
【０１５６】
このメモリアルオブジェクトＭ５は、雨水流下塔２２の上面部に形成した集水用凹部２２ｅの底部２２ｆには、所定の径を有する２つの位置決め用貫通穴２２ｇ、２２ｈを所定の間隔をおいて雨水流下塔２２の垂直方向に所定の長さほど形成している。この所定の長さは、前記したメモリアルオブジェクトＭ４における位置決め用貫通穴２ｅ（図２５参照）の長さＬ５と同程度でよい。また、位置決め用貫通穴２２ｇ、２２ｈの径もメモリアルオブジェクトＭ４の位置決め用貫通穴２ｅ（図２５参照）の径ｄ１と同程度でよい。
【０１５７】
位置決め用貫通穴２２ｇの下端部には、この位置決め用貫通穴２２ｇと連通する雨水流下用貫通穴２２ｉを雨水流下塔２２の垂直方向に、雨水流下塔２２の下面部まで形成している。同様に、位置決め用貫通穴２２ｈの下端部には、この位置決め用貫通穴２２ｈと連通する雨水流下用貫通穴２２ｊを雨水取水塔２２の垂直方向に、雨水流下塔２２の下面部まで形成している。
そして、位置決め用貫通穴２２ｇと雨水流下用貫通穴２２ｉの垂直方向の中心線Ｖは略同一になるように形成し、さらに、雨水流下用貫通穴２２ｉの径は、位置決め用貫通穴２２ｇの径の２〜４倍程度にする。例えば、位置決め用貫通穴２２ｇの径は１０〜２０ｍｍ程度、雨水流下用貫通穴２２ｉの径は２０〜８０ｍｍ程度に設定する。
【０１５８】
同様に、位置決め用貫通穴２２ｈと雨水流下用貫通穴２２ｊの垂直方向の中心線Ｖは略同一になるように形成し、さらに、雨水流下用貫通穴２２ｊの径は、位置決め用貫通穴２２ｈの径の２〜４倍程度の大きさにする。例えば、位置決め用貫通穴２２ｈの径は１０〜２０ｍｍ程度、雨水流下用貫通穴２２ｊの径は２０〜８０ｍｍ程度に設定する。また、雨水流下用貫通穴２２ｉと２２ｊの垂直方向の高さＬ６は、雨水取水塔２２の高さの仕様に基づくが、例えば２５０〜３００ｍｍ程度に設定する。
【０１５９】
台座２３には、図２７に示すように、上面部から下面部に貫通する２つの貫通穴２３ｄ、２３ｅを所定の間隔をおいて形成している。なお、これら２つの貫通穴２３ｄと２３ｅの平面視における形状は円形又は４角形の形状とする。そして、台座２３の上面部に雨水流下塔２２の下面部を載置したときに、雨水流下塔２２の雨水流下用貫通穴２２ｉ、又は雨水流下用貫通穴２２ｊを直接的に落下した雨水は、同じく台座２３に形成した貫通穴２３ｄ、又は２３ｅ内を直接的に落下して回転容器部材５の外周面部上に落下させる。このためには、台座２３に形成するこれら貫通穴２３ｄ、２３ｅの大きさは、少なくとも雨水取水塔２２に形成した雨水流下用貫通穴２２ｉ、２２ｊの径の大きさとほぼ同等が、これ以上にすることが望ましい。
【０１６０】
なお、図２７に示す例では、台座２３には２つの貫通穴２３ｄと２３ｅを設けた例を示しているが、これら貫通穴２３ｄと２３ｅとを一つにした貫通穴として、台座２３の上面部に雨水取水塔２２の下面部を載置したときに、雨水流下塔２２の下面部に位置する雨水流下用貫通穴２２ｉと雨水流下用貫通穴２２ｊが、この一つにした貫通穴内の上面内に位置するようにしてもよい。
また、図２７には示していないが、台座２３の上面部に、図２５に示すようにそれぞれの貫通穴２３ｄ、２３ｅに連通する凹部を設けて網部材を装着して、この凹部からも雨水を貫通穴２３ｄ、２３ｅに取り込むようにしてもよい。
【０１６１】
このメモリアルオブジェクトＭ５では、降雨時において取り込んだ雨水を利用して、上記したメモリアルオブジェクトＭ４と同様な作用と効果を発揮させることができる。すなわち、図２７に示すように、雨水流下塔２２の雨水流下用貫通穴２２ｉ、及び雨水流下用貫通穴２２ｊから台座２３の貫通穴２３ｄ、又は貫通穴２３ｅ内を直接的に、かつ垂直に落下した雨水は、平面視でそれぞれ２つの回転容器部材（５−１）と（５−２）の回転軸心Ｏから所定の距離離れた位置にある雨水溜め部（５ｂ１等）のいずれかの部位上等に集中して直接的に落下し、雨水溜め用凹部５ｄ１等に溜まる。このとき、メモリアルオブジェクトＭ４と同様に、直接的に落下する雨水は回転容器部材（５−１）又は（５−２）に雨水の落下重力を与え、さらに、この落下した雨水は、それぞれ回転容器部材（５−１）、（５−２）の雨水溜め用凹部５ｄ１、５ｄ２、・・・のいずれかに溜まるので、回転容器部材（５−１）又は（５−２）は回転し易くなる。
【０１６２】
このように、モリアルオブジェクトＭ５においては、降雨時等に取り込んだ雨水を利用して、２つの回転容器部材（５−１）と（５−２）をより回転し易くさせることが可能になる。特に、単位時間当たりの雨量が多いときには、２つの回転容器部材を同時に、かつ速く回転させることも可能になるので、上記したメモリアルオブジェクトＭ４と同様に、回転容器部材（５−１）と（５−２）に挿入した焼骨の粉末化を促進することができるという効果を発揮する。
【０１６３】
［第６の実施形態］
続いて、本発明の第６の実施形態に係るメモリアルオブジェクトＭ６について、図２８〜図３１を参照して説明する。メモリアルオブジェクトＭ６は、装置本体内に回転容器部材を４個配置した構成にしたことに特徴がある。
【０１６４】
図２８は、メモリアルオブジェクトＭ６を前側方向からみた斜視図を示している。メモリアルオブジェクトＭ６は、上蓋となって雨水を取り込むための降雨収集塔６１、雨水流下塔６２、第１の台座６３、第２の台座６４、装置本体６５、装置本体６５内に回転自在に配置され、前記したように密閉可能な空間部（Ｋ）等を有する４個の回転容器部材（５−１）、（５−２）、（５−３）、（５−４）（図３１参照）、花立６６ａと６６ｂ、線香立て６７、第１の台座６３に装着される網部材６８（図２９参照）、等を備えている。なお、網部材６８は、第１の台座６３の上面部の後方側等に配置される部材であって、前記した網部材７、網部材２７、３７ａ、３７ｃ、等と同じ機能を備えた部材、すなわち、雨水に含まれている異物を捕捉するためのフィルター部材である。なお、４個の回転容器部材（５−１）〜（５−４）の構成は、前記した回転容器部材５の構成と同一の構成にすることができる。
【０１６５】
メモリアルオブジェクトＭ６は、回転容器部材を４個配置した装置本体６５の上面部に、第２の台座６４を載置し、第２の台座６４の上面部に第１の台座６３を載置し、さらに第１の台座６３の上面部に雨水流下塔６２を載置し、さらに、雨水流下塔６２の上面部に降雨収集塔６１を載置した構成にしている。
なお、平面視で正方形状又は略正方形状をなす第１の台座６３と、第１の台座６３の下に配置する第２の台座６４の縦横の寸法は、第１の台座６３よりも第２の台座６４の寸法値を若干大きくして、メモリアルオブジェクトＭ６を前記したメモリアルオブジェクトの設置場所のいずれかに設置したときに視覚的に安定感が得られるようにしている。
【０１６６】
降雨による雨水を収集する機能を備えた降雨収集塔６１は、前記した降雨収集塔１又は降雨収集塔２１と同じ構成とすることができるが、４個の回転容器部材に収集した雨水を供給するために、その上面部の縦横の寸法は前記したメモリアルオブジェクトの降雨収集塔１又は２１より大きくして雨水を収集するための表面積を広くする。また、第１の台座６３と第２の台座６４等の上面部にも、雨水を収集するための凹部を１個以上設けてより多くの雨水を収集するための対策を施すことが望ましい。
【０１６７】
雨水流下塔６２は、前記した雨水流下塔２に形成した雨水流下用貫通穴２ｃ（図２参照）、又は雨水流下塔２２に形成した雨水流下落下用貫通穴２２ｃ（図１６（ｃ）参照）と同様に、その上面部から下面部まで貫通して垂直方向に形成された雨水流下用貫通穴６２ｃ（図２８には図示していない）を備えている。
【０１６８】
第１の台座６３は図２９に示すように、所定の厚み（高さ）を有し、その上面部には所定の深さを有する凹部６３ａを設け、さらに、凹部６３ａの底部６３ｂには、第１の台座６３の下面部まで貫通する第１の雨水供給用貫通穴６３ｃを設けている。なお、底部３ｂは、第１の雨水供給用貫通穴６３ｃに向かって下り傾斜となる傾斜面を形成するようにする。また、第１の台座６３の上面部に雨水流下塔６２を載置したときには、雨水流下塔６２内に形成した雨水流下用貫通穴６２ｃ（図２９に点線で図示）の下端部が第１の台座６３の上面に形成した凹部３ａの開口している上面内に位置されるようにする。これにより、降雨収集塔６１で収集された雨水は、雨水流下塔６２の雨水流下用貫通穴６２ｃ内を流下して第１の台座６３の凹部３ａ内に落下る。凹部３ａ内に落下した雨水は、第１の雨水供給用貫通穴６３ｃを通って第２の台座６４に流下することになる。
【０１６９】
第２の台座６４は、図３０に示すように平面視で正方形状又は略正方形状をなし、所定の厚み（高さ）を有している。さらに、第２の台座６４の上面部には、所定の深さを有し、平面視で正方形状又は略正方形状をなす雨水分配凹部６４ａを設け、この雨水分配凹部６４ａの底部６４ｂの隅部には、第２の台座６４の下面部まで貫通する４つの第２の雨水供給用貫通穴６４ｃ１、６４ｃ２、６４ｃ３、６４ｃ４を設けている。これら４つの第２の雨水供給用貫通穴６４ｃ１〜６４ｃ４は、雨水分配凹部６４ａに落下した雨水を、装置本体６５内に配置されている４個の回転容器部材（５−１）〜（５−４）のそれぞれの外周面上であって、平面視で回転軸心Ｏ（図３１参照）から所定の距離ほど離れた位置に、分配させて垂直に落下させるための貫通穴である。
【０１７０】
また、図３０に示すように、雨水分配凹部６４ａの底部６４ｂは、その略中央部に沿った線を底部６４ｂの高さが頂点となる直線状の稜線部６４ｄを設けた２つの傾斜平面から構成し、この稜線部６４ｄの中央部上に第１の雨水供給用貫通穴６３ｃの下端部が配置されるようにするとともに、これら傾斜平面の隅部（角部）に、第２の雨水供給用貫通穴６４ｃ１と６４ｃ２、及び６４ｃ３と６４ｃ４を設けている。
なお、４つの第２の雨水供給用貫通穴６４ｃ１、６４ｃ２、６４ｃ３、６４ｃ４を、底部６４ｂに配置する位置は、底部６４ｂの角部に限定する必要はない。
【０１７１】
第１の台座６３と第２の台座６４は上記した構成を備えており、第２の台座６４の上面部に第１の台座６３を載置したときには、第１の台座６３に形成されている第１の雨水供給用貫通穴６３ｃの下端部が、第２の台座６４の稜線部６４ｄの直上に位置させる。これにより、第１の台座６３の第１の雨水供給用貫通穴６３ｃから落下した雨水の大部分はこの稜線部６４ｄ上、又は稜線部６４ｄの近辺に落下させることが可能になる。
【０１７２】
これにより、第１の台座６３の第１の雨水供給用貫通穴６３ｃから雨水分配凹部６４ａ内に落下した雨水は、稜線部６４ｄによりほぼ均等に分散・配分された４つの第２の雨水供給用貫通穴６４ｃ１、６４ｃ２、６４ｃ３、６４ｃ４方向に流れていき、第２の雨水供給用貫通穴６４ｃ１、６４ｃ２、６４ｃ３、６４ｃ４から対応する４つの回転容器部材５のそれぞれの外周面上に向けて落下することになる。
【０１７３】
続いて、装置本体６５の構成を、図３１を参照して説明する。装置本体６５の上面部６５ａは平面視で正方形状、又は略正方形状をなし、この上面部に向けて開口する２つの空間部６５ｇ１と６５ｇ２を設けている。さらに、これら２つの空間部６５ｇ１、６５ｇ２を形成するために、上面部の各側辺部から下方に向けて形成された側面部６５ｂ、６５ｃ、６５ｄ、６５ｅと、対向する側面部６５ｂと６５ｃの間の中間位置に設けた中央側面部６５ｆと、これら側面部６５ｂ〜６５ｅと、中央側面部６５ｆの下端部に形成した底部（符号は図示せず）と、この底部又は側面部６５ｂ〜６５ｅの下端に設けた複数の貫通穴６５ｊを備えている。
【０１７４】
装置本体６５が備えている２つの空間部６５ｇ１、６５ｇ２は、図３１に示すように、それぞれ２個の回転容器部材（５−１）及び（５−２）と（５−３）及び（５−４）を、回転軸心Ｏを中心として水平方向に、かつ回転可能に装着するための空間になる。なお、図３１には、装置本体６５の上面部６５ａに第２の台座６４を載置したときに、台座６４に形成した４つの第２の雨水供給用貫通穴６４ｃ１、６４ｃ２、６４ｃ３、６４ｃ４の下端部の位置を点線の丸印で示している。
【０１７５】
図３０（図３１）に示す第２の雨水供給用貫通穴６４ｃ１〜６４ｃ４の下端部の位置は、それぞれ対応する４個の回転容器部材（５−１）〜（５−４）の回転軸心Ｏから水平方向に所定の距離を置いた位置に配置されるようにしているので、第２の雨水供給用貫通穴６４ｃ１、６４ｃ２、６４ｃ３、６４ｃ４から供給される雨水は、それぞれ、対応する回転容器部材（５−１）〜（５−４）の雨水溜め用凹部５ｄ１、５ｄ２、５ｄ３、・・・のいずれかに順次溜められる。これにより、雨水溜め用凹部に溜まった雨水の重量により、４個の回転容器部材（５−１）〜（５−４）は、それぞれ所定の方向に回転することになる。
【０１７６】
メモリアルオブジェクトＭ６においては、第２の台座６４上に載置された第１の台座６３を備え、さらに、第１の台座６３の凹部６３ａの底部６３ｂに形成した第１の雨水供給用貫通穴６３ｃと、第２の台座６４の凹部６４ａの底部６４ｂに形成した４つの第２の雨水供給用貫通穴６４ｃ１、６４ｃ２、６４ｃ３、６４ｃ４を備えているので、降雨収集塔６１で収集された雨水を、４個の回転容器部材（５−１）〜（５−４）の雨水溜め用凹部５ｄ１、５ｄ２、５ｄ３、・・・のいずれかに均等に配分して落下させることが可能になる。
【０１７７】
上記した４個の回転容器部材（５−１）〜（５−４）の構成、及びこれら回転容器部材を装置本体６５内に回転自在に支持する軸受、軸受支持部材の構成は、前記した実施形態で説明した軸受９、軸受支持部材１０と同一の構成にすることができるので、その説明は省略する。なお、図２８に示す６５ｋは、本体装置部６５の下面部の角部に設けた設置用突出部である。
【０１７８】
上記したメモリアルオブジェクトＭ６を構成する降雨収集塔６１、雨水流下塔６２、第１の台座６３、第２の台座６４、装置本体６５、回転容器部材（５−１）〜（５−４）、花立６６ａと６６ｂ、線香立て６７は、前記したメモリアルオブジェクトＭ１〜Ｍ５と同様に、例えば、御影石等の石材を用いて機械加工等により製造することができる。
なお、上記したメモリアルオブジェクトＭ６においては、４個の回転容器部材を装置本体６５内に縦横方向に２個ずつ水平に配置した例について説明したが、４個の回転容器部材を装置本体内に水平方向に一列に配置した構成としてもよい。
また、大型化した構成になるが、本発明は、装置本体内に５個以上の回転容器部材を縦横に水平方向に配置したメモリアルオブジェクトとすることも可能である。
【０１７９】
［第７の実施形態］
続いて、上記した各メモリアルオブジェクトにおいて、装置本体内に回転自在に配置する回転容器部材の他の実施形態について説明する。この第７の実施形態となる回転容器部材は、その材質を硬質で耐腐蝕性と耐摩耗性を備えた硬質の合成樹脂製としたことに特徴がある。
【０１８０】
上記したメモリアルオブジェクトＭ１〜Ｍ６に用いる回転容器部材については、その材質は、メモリアルオブジェクトの部材として尊厳がり、かつ耐腐蝕性が高い御影石等の石材製とした例について説明したが、御影石の比重は２．５〜３程度であるため回転容器部材の重量は重くなり、その製造についても工数を必要となる。そこで、本発明者は、合成樹脂製からなる回転容器部材を試作して、その実用性について実験を行った結果、合成樹脂製の回転容器部材も実用化可能であるという結果が得られた。以下、合成樹脂製からなる回転容器部材の構成例と、実験例について説明する。
【０１８１】
第７の実施形態となる回転容器部材は、硬質で耐腐蝕性及び耐摩耗性を備えた硬質の合成樹脂製、例えば、比重は１．２〜１．５程度であるアクリル樹脂、ポリカーボネート樹脂、ポリエチレン樹脂等からなる材質で製作したものである。回転容器部材の材質を合成樹脂製にすると、前記した石材製の回転容器部材と比較してその重量を１／２以下に低減させることができるので、雨水の重量を利用して回転容器部材を装置本体内で容易に回転させることが可能になり、また、製造も容易になるという効果が生じる。
【０１８２】
また、合成樹脂製の回転容器部材は、その構成部材の一部又は全てを透明又は半透明にすることも可能になるので、メモリアルオブジェクトを前記した設置場所に設置した後に、回転容器部材に挿入している被処理物の様子（状況）を、回転容器部材の外側からこの透明又は半透明にした部材を介して確認することが可能になるという効果も生じる。
【０１８３】
以下、この第７の実施形態となる回転容器部材の構成例を、図３２〜図３５に基づいて説明する。図３２は、この合成樹脂製の回転容器部材７０について、その構成の概要を示す斜視図、図３３は回転容器部材７０を回転軸心Ｏ方向からみたときの側面図、図３４は図３２に示す回転容器部材７０の回転軸心Ｏ方向に沿った断面の構成を示す図、図３５は図３４において回転容器部材７０の回転軸７４ａ、７５ａを軸受９で支持しているときの状態を示す図である。
【０１８４】
図３２〜図３５に示すように、合成樹脂製の回転容器部材７０は、例えば、円筒状部７１ａ（図３４参照）を有する第１の円筒体７１と、この第１の円筒体７１の解放端部を密閉するための蓋部材７１ｂと、第１の円筒体７１の円筒状部７１ａの外周面に沿うように嵌装して配置された第２の円筒体７２と、第２の円筒体７２の円筒状部７２ａの解放端部の外周面に密着固定されるドーナツ状の円板状部材７２ｂと、第２の円筒体７２の外周面に設けられ、断面形状がＬ字状をなす複数の羽根部材７３ａ、７３ｂ、７３ｃ、・・・とを備えている。なお、複数の羽根部材７３ａ、・・・は、第２の円筒体７２の中心軸方向、すなわち、回転軸心Ｏ方向に、第２の円筒体７２の一端部から他端部まで等間隔に設けられている。
【０１８５】
また、図３４に示すように、第１の円筒体７１は、その一方の端部は円筒状部７１ａと一体にされた板状の蓋部材７５を備えている。蓋部材７５は側面視で円形をなしている。同様に、第２の円筒体７２は、その一方の端部は円筒状部７２ａと一体にされた板状の蓋部材７４を備えている。蓋部材７４は側面視で円形をなし、その径は蓋部材７５と同一にしている。さらに、図３４に示すように、板状の蓋部材７４と７５の中心部には、それぞれ外側方向であって回転軸心Ｏ方向に所定の長さほど突出する回転軸７４ａ、７５ａを一体に固定して設けている。
【０１８６】
図３４に示す回転容器部材７０においては、第１の円筒体７１と、この円筒体７１の解放端部を密閉する蓋部材７１ｂは、前記したメモリアルオブジェクトＭ１〜Ｍ６で説明した密閉容器５ａ（図１２参照）に相当する部材になる。すなわち、第１の円筒体７１の解放端部に、蓋部材７１ｂをビス（ボルト）７９等の固定手段を用いて固定することにより、第１の円筒体７１の円筒状部７１ａ内に密閉可能な空間部（Ｋ）が形成されることになる。また、第２の円筒体７２において、その円筒状部７２ａの一端部の外周面へのドーナツ状の円板状部材７２ｂを固定する手段は、接着剤による固定を利用することはできる。
【０１８７】
また、第２の円筒体７２の外周面に複数の羽根部材７３ａ、７３ｂ、７３ｃ、・・・を設ける方法は、第２の円筒体７２の外周面に羽根部材７３ａ、７３ｂ、７３ｃ、・・・を接着剤により固定するとともに、これら羽根部材７３ａの両端部を、それぞれドーナツ状の円板状部材７２ｂと、蓋部材７４に接着剤により固定してビス（ボルト）等により強固に密着固定する手段を採用することができる。あるいは、合成樹脂の射出成型等により、羽根部材７３ａ、７３ｂ、７３ｃ、・・・を一体成型した第２の円筒体７２を製造する手段を採用することができる。
【０１８８】
上記した構成を備えた回転容器部材７０において、羽根部材７３ａ、７３ｂ、７３ｃ、・・・と、円筒状部７２ａの外周面と、蓋部材７４と、円板状部７２ｂとにより囲まれた各空間部は、図１４に示す雨水溜め用凹部５ｄ１、５ｄ２、・・と同様の機能を有する空間、すなわち、前記したメモリアルオブジェクトＭ１〜Ｍ６で収集した雨水を溜めるための雨水溜め用凹部７６ａ１、７６ａ２、７６ａ３、・・・、７６ａ８になる（図３３参照）。
【０１８９】
図３２〜３３に示す回転容器部材７０の構成例においては、８つの羽根部材７３ａ、７３ｂ、７３ｃ、・・・７３ｈを、第２の円筒体７２の円筒状部７２ａの外周面上に回転軸心Ｏ方向に向けて等間隔（４５°間隔）で配置することにより８つの雨水溜め用凹部７６ａ１、７６ａ２、７６ａ３、・・・７６ａ８を設けた例を示している。なお、断面形状がＬ字状をなす羽根部材７３ａ、７３ｂ、７３ｃ、・・・の曲がり角度α（図３２又は図３３参照）は、９０°〜１５０°の適切な角度に設定して、雨水溜め用凹部７６ａ１、・・・内により多くの雨水を溜めて雨水の重量による回転モーメントを大きくするようにする。
【０１９０】
また、複数の合成樹脂製の羽根部材７３ａ、７３ｂ・・・の断面形状は、上記したＬ字状にするのではなく、回転軸心Ｏ（半径方向）方向に所定の長さほど直線的、あるいは半径方向と若干傾斜（回転容器部材７０の回転方向と逆方向に傾斜）させて延びる板状部７３ａ２、７３ｂ２、・・・のみから構成してもよい。
なお、雨水溜め用凹部７６ａ１、７６ａ２、７６ａ３、・・・に順次より多くの雨水を効率良く溜めて回転容器部材７０に回転モーメントを付与するためには、羽根部材７３ａ等は、Ｌ字状の形状、あるいは半径方向と若干傾斜、すなわち、回転容器部材７０の回転方向と逆方向に所定の角度傾斜させた板状部のみから構成することが望ましい。
【０１９１】
図３５に示すように、組み立てが完了した回転容器部材７０は、蓋部材７４と一体化した回転軸７４ａと、蓋部材７５と一体化した回転軸７５ａがそれぞれ軸受９により支持され、回転軸心Ｏを中心に、軸受９、９を介して回転可能な構成になっている。さらに、軸受９の外周面部は、軸受支持部材７７に形成された穴部内に挿入して、軸受９の外周面部はこの穴部内において回転しないように固定されている。この固定手段としては、例えば、接着剤による固定を採用することができる。なお、軸受９としては、従来から使用されている鋼球やセラミックス球を用いた小型で防水型のボールベアリング軸受を使用することができる。また、回転軸７４ａと７５ａの外方端部には、ビス７９等によりワッシャー７８を介在させて軸受９の抜け止めを行っている。
【０１９２】
上記した軸受支持部材７７は、例えば、図１１（ｃ）、図１２に示す軸受支持部材１０に相当する部材になる。そして、図３５に示す回転容器部材７０が備えている軸受支持部材７７を、図１１に示す装置本体４に形成した溝部４ｈ、４ｉに装着することにより、回転容器部材７０は、装置本体４内において軸受支持部材７７により、水平方向に支持されるとともに、回転可能に支持されることになる。
【０１９３】
上記した回転容器部材７０を構成する第１の円筒体７１、蓋部材７１ｂ、第２の円筒体７２、円板状部材７２ｂ、羽根部材７３ａ、７３ｂ、７３ｃ、・・・、蓋部材７４及び７５、回転軸７４ａ、７５ａ、軸受支持部材７７は、前記した硬質の合成樹脂からなる材質、例えば、アクリル樹脂、ポリカーボネート樹脂、ポリエチレン樹脂等のいずれかの材質とする。また、これら合成樹脂製の部材の全て、あるいはその特定の部材、例えば、第１の円筒体７１、又は蓋部材７１ｂと第２の円筒体７２を透明又は半透明の合成樹脂製として、第１の円筒体７１の密閉可能な空間部（Ｋ）に挿入した被処理物の様子が蓋部材７５、又は蓋部材７１ｂと蓋部材７４を介して、回転容器部材７０の外部から目視（透視可能）できるようにすることが望ましい。
【０１９４】
図３３は、密閉可能な空間部（Ｋ）に挿入した被処理物Ｐの様子が、透明な蓋部材７４と蓋部材７１ｂを介して透視できる状態を示している。
このように、回転容器部材７０の外部から密閉可能な空間部（Ｋ）内を透視可能にすると、メモリアルオブジェクトを前記したメモリアルオブジェクトの設置場所のいずれかに設置した後に、密閉空間（Ｋ）内に挿入した被処理物の様子、例えば、被処理物となる焼骨が粉末化されている状況を回転容器部材７０の外部から確認することが可能になる。なお、この場合には、装置本体４上に載置されている降雨収集塔１、雨水流下塔２、台座３を取り外して、装置本体４内に配置された回転容器部材７０を取り出して確認する。あるいは、装置本体４の側面部４ｃ等に、回転容器部材７０の密閉可能な空間部（Ｋ）内を目視することができる合成樹脂製で開閉可能な小さい透明窓を設けてもよい。
【０１９５】
第７の実施形態となる回転容器部材７０の組立は、例えば、次の手順に基づいて行うことができる。なお、第１の円筒体７１は、例えば、射出成型等により、回転軸７５ａを一体化した成形体を製造しておく。同様に、第２の円筒体７２も、予め射出成型等により、羽根部材７３ａ、７３ｂ、７３ｃ、・・・と、回転軸７４ａを一体化した成形体を製造しておくことが望ましい。
【０１９６】
（組立手順１）
第２の円筒体７２の円筒状部７２ａの一端部に、ドーナツ状の円板状部材７２ｂの内周部を挿入して、円板状部材７２ｂを、円筒状部７２ａと、羽根部材７３ａ、７３ｂ、・・・の端部に接着により強固に固着する。これにより、羽根部材７３ａ、７３ｂ、・・・と、蓋部材７４と、円板状部材７２ｂと、円筒状部７２ａの外周面とに囲まれた空間部、すなわち、前記した雨水溜め用凹部７６ａ１、７６ａ２、７６ａ３、・・・、７６ａ８が形成されることになる。
【０１９７】
（組立手順２）
第１の円筒体７１の一方の端部に、蓋部材７１ｂをビス７９により固定する。これにより、第１の円筒体７１の内部に、被処理物（焼骨）を挿入するための密閉可能な空間部（Ｋ）が形成されることになる。
【０１９８】
（組立手順３）
第２の円筒体７２の円筒状部７２ａ内に、第１の円筒体７１の円筒状部７１ａを挿入する。続いて、円板状部材７２ｂと第１の円筒体７１の蓋部材７５とを、ビス７９等を用いて一体に接続して固定する。これにより、第１の円筒体７１と第２の円筒体７２とは強固に結合されて一体化されることになる。
【０１９９】
（組立手順４）
図３５に示すように、回転軸７４ａ、７５ａのそれぞれに軸受９を挿入し、回転軸７４ａ、７５ａの端部に、ワッシャー７８を介在させてビス７９をネジ込んで軸受９の抜け止めを行う。そして、必要に応じて、軸受９の外周面を軸受支持部材７７で固定する。
【０２００】
上記した組立手順（１）〜（４）により、両端部に回転軸７４ａと７５ａを備えるとともに、第２の円筒体７２の外周面に、多数の羽根部材７３ａ、７３ｂ、・・・を備え、さらに、被処理物を挿入するための密閉可能な空間部（Ｋ）を有する回転容器部材７０を組み立てることができる。そして、回転容器部材７０を備えたメモリアルオブジェクトを、前記したメモリアルオブジェクトの設置場所に設置する前に、回転容器部材７０の密閉可能な空間部（Ｋ）に被処理物となる焼骨等を挿入して蓋部材７１ｂで密閉する。
このようにして、回転容器部材７０は、メモリアルオブジェクトの設置場所において、装置本体４（又は２４等）の上部開口部４ａ（又は２４ａ等）からこの装置本体内に水平方向に、かつ回転可能に支持されることになる。
【０２０１】
前記したメモリアルオブジェクトＭ１〜Ｍ６の構成部材となる回転容器部材として、この第７の実施形態となる合成樹脂製の回転容器部材７０を用いると、石材製の回転容器部材５と比較してその重量を極めて軽くすることができるという効果が生じる。
このため、降雨時等において、各メモリアルオブジェクトで取り込んだ雨水が、メモリアルオブジェクト内を流下（落下）して断面形状が羽根部材７３ａ、７３ｂ・・・により形成される雨水溜め用凹部７６ａ１、７６ａ２、７６ａ３、・・・に溜まると、その雨水の重力により、軽量な回転容器部材７０は所定方向に、図３３に示す例ではＳ１方向に、極めて容易に回転させることが可能になる。また、回転容器部材７０は合成樹脂製の部材から構成しているので、石材製と比較してその材料費を含む製造コストを低減させることも可能になる。これにより、長い期間の使用により回転容器部材７０に不具合が生じた場合には、安価な新規品と容易に交換することができるという効果も生じる。
【０２０２】
なお、前記した回転容器部材７０を構成する合成樹脂製の第１の円筒体７１、蓋部材７１ｂ、第２の円筒体７２、円板状部材７２ｂ、羽根部材７３ａ、７３ｂ、７３ｃ、・・・、蓋部材７４及び７５、回転軸７４ａ、７５ａの各部材を射出成型等により製造するためには、例えば、第１の円筒体７１と蓋部材７５と回転軸７５ａとを一体に成形し、さらに、羽根部材７３ａ、７３ｂ、７３ｃ、・・・を備えた第２の円筒体７２と蓋部材７４と回転軸７４ａとを一体に成形する等、各部材の強度が維持でき、組み立てが容易になり、かつ射出成型の効率化ができるように、その部材の形状を適切に設計するようにする。
以下に説明する第８の実施形態は、上記した第７の実施形態を示す合成樹脂製の回転容器部材７０について、さらに改善した実施例ついて説明するものである。
【０２０３】
［第８の実施形態］
続いて、本発明の第８の実施形態を、図３６〜図３８に基づいて説明する。第８の実施形態は、前記した第７の実施形態となる合成樹脂製の回転容器部材７０について、密閉可能な空間部（Ｋ）に改善を施した回転容器部材７０ａとしたものである。第８の実施形態となる回転容器部材７０ａを構成する各部材は、前記したアクリル樹脂、ポリカーボネート樹脂、ポリエチレン樹脂等のいずれかの材質から形成される。
【０２０４】
図３６に示すように、回転容器部材７０ａの外観上の形状は、図３２に示す回転容器部材７０とほぼ同一である。
回転容器部材７０ａは、基本的には４種の部材である、横長の円筒体８０と、円筒体８０の外周面に回転軸心Ｏ方向に等間隔で設けた複数の羽根部材７３ａ、７３ｂ、７３ｃ、・・・と、円筒体８０の両端部を密閉するための円板状の蓋部材８１と８２とから構成されている。平面視で円形をなす円板状の蓋部材８１と８２の外側端面部の中心部には、図３８に示すように、それぞれ所定の長さほど突出する回転軸８１ａと８２ａを設けている。なお、円板状の蓋部材８１と８２はその径は同一にしている。円筒体８０の内部は、その両端部をそれぞれ円板状の蓋部材８１、８２で密閉することにより、密閉可能な空間部（Ｋ）が形成される。
【０２０５】
図３７に示すように、円筒体８０の内周面には、所定の突出高さと厚さを有する複数の板状の凸状突起部８３を、円筒体８０の一方の端部から他方の端部まで回転軸心Ｏと平行となる方向に設けている。凸状突起部８３が回転軸心Ｏ方向に円筒体８０の内周面から突出する突出長さは１０ｍｍ〜３０ｍｍ、その設置数は少なくとも一つ、望ましくは３〜４個（列）程度を等間隔で設置する。凸状突起部８３の厚さは５ｍｍ程度にすれば十分である。図３７に示す例では、円筒体８０の内周面に３個の凸状突起部８３を１２０°間隔で設けた例を示している。
【０２０６】
円筒体８０の内周面部に上記の凸状突起部８３を設ける理由は、次の通りである。
回転容器部材７０ａと一体に構成されている円筒体８０が、前記したように雨水の重量を利用してＳ１方向に回転しているときに、円筒体８０の密閉可能な空間部（Ｋ）に挿入した被処理物（焼骨）Ｐは、この凸状突起部８３により係止されて凸状突起部８３とともに密閉可能な空間部（Ｋ）内を徐々に上昇していく。そして、この被処理物Ｐが凸状突起部８３に係止された状態で空間部（Ｋ）内を所定の高さに達すると、凸状突起部８３による係止作用が無くなるので、被処理物Ｐを筒体８０の内周面部上に重力により落下させるために設けたものである。
【０２０７】
このように、回転容器部材７０ａの回転に伴って、被処理物Ｐは円筒体８０の密閉可能な空間部（Ｋ）内において上昇と落下を繰り返すことになるので、円筒体８０の内周面部への落下、あるいは他の被処理物Ｐ上への落下による衝撃により粉末化が促進されることになる。また、凸状突起部８３の先端部を鋭角状にすると、落下した被処理物Ｐが鋭角状の先端部に落下することがあり得るので、被処理物Ｐの粉末化がより促進されることになる。
【０２０８】
上記した第８の実施形態となる回転容器部材７０ａを用いたメモリアルオブジェクトにおいては、図３７に示す雨水溜め用凹部７６ａ１、７６ａ２、７６ａ３、・・・７６ａ８のいずれかに雨水が溜まってその雨水の重量により回転容器部材７０ａがＳ１方向に回転しているときには、被処理物Ｐは凸状突起部８３により密閉可能な空間部Ｋ内において上昇と落下を繰り返すことになるので、前記した第７の実施形態となる回転容器部材７０よりも、被処理物Ｐが粉末化するまでの時間（経過日数）を短くすることができるという効果が生じる。また、回転容器部材７０ａは、第７の実施形態となる回転容器部材７０が備えている第１と第２の円筒体７１と７２を一つの円筒体８０で構成しているので、部品数が少なくなり、製造コストを低減できるという効果も生じる。
【０２０９】
なお、円筒体８０の外周面に等間隔で羽根部材７３ａ、７３ｂ、７３ｃ、・・・を、さらに、内周面に複数の凸状突起部８３を設ける方法は、合成樹脂の射出成型により円筒体８０と羽根部材７３ａ、７３ｂ、７３ｃ、・・・と、複数の凸状突起部８３とを一体化した部材として成形することが可能である。また、円筒体８０の外周面に羽根部材７３ａ、７３ｂ、７３ｃ、・・・を取り付ける手段と、円筒体８０の内周面に複数の凸状突起部８３を取り付ける手段は、接着剤により接着固定する手段を採用してもよい。また、円筒体８０の両端部に、それぞれ蓋部材８１、８２を固定する手段、及び蓋部材８１、８２に羽根部材７３ａ、７３ｂ、７３ｃ、・・・の端部を密着固定する手段は、ビス止めによる固定手段を採用する。これにより、円筒体８０の内部に密閉可能な空間部（Ｋ）が形成されることになる。なお、図３８には、円筒体８０の両端部に、蓋部材８１、８２、及びを羽根部材７３ａ、７３ｂ、７３ｃ、・・・の端部を固定するためのビス等は示していない。
さらに、円筒体８０、蓋部材８１、８２のいずれか一方又は双方を透明あるいは半透明な合成樹脂製とすることにより、密閉可能な空間部Ｋ内に挿入した被処理物Ｐの状態を回転容器部材７０ａの外部から確認することが可能になる。
【０２１０】
［第９の実施形態］
続いて、本発明の第９の実施形態を、図３９に基づいて説明する。第９の実施形態は
図３７に示す回転容器部材７０ａが備えている円筒体８０の内周面の構成について、さらに改良を加えて、回転容器部材７０ｂとしたものである。
【０２１１】
第９の実施形態となる回転容器部材７０ｂは、図３９に示すように、円筒体８０の内周面に、さらに、凸状突起部８３の突出長さより短い多数の微小な凹凸部を有する円弧状板体８４を設けたことに特徴がある。円弧状板体８４は、複数の凸状突起部８３の間であって円筒体８０の回転軸心Ｏ方向に向けて取付けている。なお、円筒体８０の内周面への円弧状板体８４の固定手段は、例えば、円筒体８０の外周面からビス等を用いて固定する方法、あるいは接着により固定する方法等を採用することができる。
【０２１２】
円弧状板体８４の表面に形成する微小な凹凸部８４ａの形状は、例えば、高さ０．５ｍｍ〜２ｍｍ程度、その基部の太さは１ｍｍ〜３ｍｍ程度とし、その突出先端部を先細り状の鋭角形状にすることが望ましい。また、この微小な凹凸部８４ａは、例えば、円弧状板体８４の表面に回転軸心Ｏ方向に形成するか、あるいは碁盤の目状に形成した構成にする。
また、円弧状板体８４の材質は、前記した合成樹脂であるアクリル樹脂製、ポリカーボネート樹脂製、ポリエチレン樹脂製、あるいは軽量なセラミックス製等のずれかを採用することができる。
なお、円弧状板体８４を合成樹脂製とした場合には、円筒体８０の外周面に複数の羽根部材７３ａ・・・等を備え、さらに円筒体８０の内周面に複数の凸状突起部８３と、この凸状突起部８３の間に微小な凹凸部８４ａとを一体に備えた成形体を、射出成型により成形することも可能となる。
【０２１３】
このように、円筒体８０の内周面部に微小な凹凸部８４ａを配置した回転容器部材７０ｂにおいては、前記した回転容器部材７０ａと同様に、円筒体８０がＳ１方向に回転しているときには、被処理物Ｐは凸状突起部８３により密閉空間部Ｋ内において上昇と落下を繰り返すことになるが、被処理物Ｐが円筒体８０の内周面部の下方に落下したときに、被処理物Ｐは微小な凹凸部８４ａにも衝突するので、被処理物Ｐの粉末化がさらに促進されるという効果が生じる。
【０２１４】
なお、上記した回転容器部材７０ｂにおいて、少なくとも蓋部材８１、８２は、透明又は半透明な合成樹脂製として、回転容器部材７０ｂの密閉可能な空間部（Ｋ）に挿入された被処理物Ｐの状況が、前記したように、回転容器部材７０ｂの外部から目視により確認できるようにすることが望ましい。
【０２１５】
また、回転容器部材７０ｂにおいて、円筒体８０の外周面に設ける複数の羽根部材７３ａ、７３ｂ、７３ｃ、・・・の形状は、図３７に示すようにＬ字型形状にするか、回転軸心Ｏ方向に延びる直線状形状のみとしてもよい。
【０２１６】
［実験例］
続いて、本発明の回転式粉末化装置を構成する回転容器部材を試作し、この回転容器部材の回転軸を枠体に回転可能に支持した回転実験装置を作製して、水の重力を利用してこの回転容器部材を回転させる実験を行った。以下、この実験例について説明する。
【０２１７】
この回転容器部材の回転実験においては、前記した第８の実施形態の構成を備えたアクリル製の回転容器部材７０ａを試作した。試作した回転容器部材７０ａは、その円筒体８０の外周面に８つの雨水溜め用凹部７６ａ１、７６ａ２、７６ａ３、・・・７６ａ８を備えている構成とした。そして、回転容器部材７０ａの上方の所定の位置から、雨水溜め用凹部７６ａ１、７６ａ２、７６ａ３、・・・７６ａ８のいずれかに向けて所定量の水道水を継続的に落下させ、雨水溜め用凹部７６ａ１等に溜まった水の重量により回転容器部材７０ａを回転させるための回転実験装置を製作した。そして、下記の３種の実験（実験例１〜実験例３）を行った。
【０２１８】
この実験例において、回転容器部材７０ａの回転と回転数を把握するために次の手段を採用した。すなわち、回転容器部材７０ａを水平に、かつ回転可能に支持する回転軸（図３６に示す回転軸８１ａに相当）に、スリット式のロータリーエンコーダを取り付け、このロータリーエンコーダの検出信号を、マイクロコンピュターを備えた計測装置に入力して、計測装置により回転容器部材７０ａの回転数とその１回転ごとの経過時間値を収集して、１回転に要した回転時間が解析できるようにした。
【０２１９】
上記した回転実験装置の構成は、下記の通りである。
（１）試作した回転容器部材７０ａの両端部に設けられている回転軸８１ａ、８２ａのそれぞれにボールベアリングからなる軸受９を挿入し、この軸受９を軸受支持部材７７（図３５参照）により固定した。そして、２つの軸受支持部材７７を、上方を開口とした透明なアクリル製の枠体内の対向する側壁部で水平になるように支持固定した。これにより、試作した回転容器部材７０ａは、合成樹脂製の枠体内において、水平に、かつ回転可能に支持される構成にした。
【０２２０】
（２）上記（１）により、アクリル製の枠体に支持された回転容器部材７０ａの上方であって、所定の高さ（蓋部材８１の外周面からの高さ）の位置に水道水を下方に向けて供給するための蛇口（開閉弁）を設置した。そして、この開閉弁には水道水を供給する水道管を接続して、開閉弁から単位時間当たり所定量の水道水を回転容器部材７０ａの雨水溜め用凹部７６ａ１等に落下させることができるようにした。
【０２２１】
（３）試作した回転容器部材７０ａが備えている円筒体８０内の密閉可能な空間部（Ｋ）には、被処理物Ｐとして、約２０ｍｍ程度の厚さにカット（スライス）し、表面をトースターで適度に焦げ目を付与したフランスパンのスライス小片５個を挿入した。フランスパンの表面に焦げ目を付けた理由は、表面を適度な硬さにして、密閉可能な空間部（Ｋ）に挿入したフランスパンが回転容器部材７０ａの回転に伴って粉砕化（粉末化）される状況を確認するためである。また、円筒体８０の内周面であって各凸状突起部８３の間には、粗さ♯６０のサンドペーパーをネジ止めにより固定した。このサンドペーパーは、図３９に示す多数の微小な凹凸部８４ａを有する円弧状板体８４の代用として設けたものである。
【０２２２】
（実験例１）
実験例１を行うために、回転容器部材７０ａの雨水溜め用凹部７６ａ１等の上に落下させる水の量は、６．４リットル／時間（１０７ｃｃ／分）とした。なお、水道水を雨水溜め用凹部７６ａ１等に落下させる位置は、回転容器部材７０ａの回転軸心Ｏから水平方向に２０ｍｍ離れた外側位置（図３７に示す羽根部材７３ａ側）を目標とした。実験例１を行うために製作した回転実験装置の仕様、及び実験条件は下記の通りである。
【０２２３】
・円筒体８０の内径、長さ、厚さ  ：内径９５ｍｍ、長さ１９０ｍｍ、厚さ５ｍｍ
・円筒体８０の内周面            ：回転軸心Ｏ方向に１２０°の間隔で凸状突起部８                                    
３を３つ配置、凸状突起部８３の突出長さは１９ｍｍ
・羽根部材７３ａ、等の形状      ：Ｌ形状（角度αは９０°）
・羽根部材７３ａ、等の高さ      ：３０ｍｍ（板状部７３ａ１等の長さ：２３ｍｍ）
・羽根部材７３ａ、等の設置数    ：８個（４５°間隔で配置）
・蛇口の設置高さ                ：回転容器部材７０ａの外周面から約３００ｍｍ
・回転容器部材の総重量          ：１５８８ｇ
・被処理物Ｐの挿入時の重量      ：７０ｇ
【０２２４】
なお、実験例１において、回転容器部材７０ａの雨水溜め用凹部７６ａ１等に落下させる水の量を、６．４リットル／時間とした理由は次の通りである。
【０２２５】
試作した回転容器部材７０ａを備えた回転実験装置において、前記した降雨時に雨水を収集する降雨収集塔１の上面部の縦横サイズの仕様を２００ｍｍ×１４０ｍｍと仮定した。そして、この回転実験装置を設置した場所の年間降雨量が２３００ｍｍと想定した。すると、このメモリアルオブジェクトの上蓋となる降雨収集塔１の上に降り注ぐ雨量は約６４リットル／年となる。また、前記したように、メモリアルオブジェクトＭ１等においては、台座３の上面部からも雨水を取り込む手段を設けているので、このメモリアルオブジェクトＭ１等が年間に取り込める雨水の量は、約７７リットル／年になるものと算出した。これを月当りの量に換算すると、約６．４リットル／月になる。
【０２２６】
実験例１においては、１ケ月の経過時間を１時間に短縮して、この１時間に、月当りの降水量に相当する水量６．４リットル、すなわち、１分当り約１０７ｃｃの水を蛇口から落下させて回転容器部材７０ａの雨水溜め用凹部７６ａ１等に落下・供給させるようにした。実験例１では、このような実験を１時間継続して実施した。実験例１による実験結果を表１に示す。
【０２２７】
【表１】
0005723692.tif 000002
【０２２８】
表１に示す実験例１の実施結果から、次のことが確認できた。
（１）１分当り約１０７ｃｃの水を回転容器部材７０ａの雨水溜め用凹部７６ａ１等に落下させると、回転容器部材７０ａを回転させることができること、すなわち、１時間に４８回、回転容器部材７０ａを回転させることが可能であることが確認できた。
（２）計測装置で収集した実験データを解析した結果、回転容器部材７０ａが１回転に要する時間は、５０秒〜１００秒であった。
【０２２９】
（３）回転容器部材７０ａの密閉可能な空間部（Ｋ）に挿入した被処理物Ｐの初期重量７０ｇは、実験が終了した１時間後には、表１に示すように１．５ｇ減少した。これは、被処理物Ｐ（フランスパン）が回転容器部材７０ａの回転に伴って密閉可能な空間部（Ｋ）内で上昇と落下、相互の接触を繰返すことにより、被処理物Ｐの表面の一部が欠けて粉砕したためである。単純な計算であるが、７０ｇの被処理物Ｐは、７０／１．５＝４６．６ケ月、すなわち、最短では約４年間で、自然現象であるメモリアルオブジェクトＭ１等に降り注ぐ雨水を利用して粉末化することが可能であることが推測できた。
【０２３０】
（実験例２）
続いて、実験例２を行うために回転実験装置を試作した。各部材の仕様等は、次の通りである。
・円筒体８０の内径、長さ、厚さ  ：内径１２０ｍｍ、長さ１８０ｍｍ、厚さ５ｍｍ
・円筒体８０の内周面            ：回転軸心Ｏ方向に１２０°の間隔で凸状突起部８    ３を３つ配置、凸状突起部８３の突出長さは１３ｍｍ
・羽根部材７３ａ、等の形状      ：Ｌ形状（角度αは１４０°）
・羽根部材７３ａ等の突出高さ    ：２３ｍｍ
・羽根部材７３ａ、等の設置数    ：８個（４５°間隔で配置）
・蛇口の設置高さ                ：回転容器部材７０ａの外周面から約３００ｍｍ
・回転容器部材の総重量          ：１４９６ｇ
【０２３１】
実験例２を行った回転実験装置の構成が実験例１と主に相違する点は、円筒体８０の内径を１２０ｍｍと大きくしたこと、羽根部材７３ａ等のＬ形状の角度αを１２０°にしたこと、及び、水道水を雨水溜め用凹部７６ａ１等に落下させる位置は、回転容器部材７０ａの回転軸心から３０ｍｍ離れたが外側位置（図３７に示す羽根部材７３ａ側）を目標としたことにある。なお、実験例２において蛇口から落下させる水道水の量は、実験例１と同じ１分当り約１０７ｃｃとした。実験例２による実験結果を表２に示す。
【０２３２】
【表２】
0005723692.tif 000003
【０２３３】
表２に示す実験例２の実験結果から次のことが明らかになった。
（１）１時間当りの回転容器部材７０ａの回転数が、実験例１より多くなり、７１回になった。この理由は、水道水を雨水溜め用凹部７６ａ１等に落下させる位置を、実験例１より遠い位置となる、回転容器部材７０ａの回転軸心から３０ｍｍ離れた位置としたことにより、回転容器部材７０ａを回転させる回転モーメントが大きくなったためであると推測される。
【０２３４】
（２）１時間当りの回転容器部材７０ａの回転数が増加したことにより、被処理物Ｐの１時間後の重量の減少量は、実験例１の結果より多くなり、４．５ｇ減少させることができた。
【０２３５】
（実験例３）
上記した実験例２で用いた回転容器部材７０ａについて、その円筒体８０の外周面に、直線状に延びるアクリル樹脂製の板材のみを備えた羽根部材７３ａ、・・・の８個を４５°間隔で形成した、回転容器部材７０ａを製作した。なお、この直線状に延びる板材のみから構成された羽根部材７３ａ、・・・が、円筒体８０の半径方向と傾斜する角度は、回転容器部材７０ａの回転方向に対して逆方向に５０°傾斜させた。そして、この回転容器部材７０ａのその他の仕様は上記した実験例２と同一として、実験例２と同一の条件で水道水を落下させて回転容器部材７０ａを回転させる実験を行った。
【０２３６】
この実験例３の実験結果では、回転容器部材７０ａを１時間に６６回ほど回転させることができ、被処理物Ｐの重量を３．２ｇ減少させることができた。
【０２３７】
上記した実験例１〜実験例３の実験結果から、合成樹脂製の回転容器部材７０ａの雨水溜め用凹部７６ａ１、７６ａ２、・・・等に水を落下させて、これら雨水溜め用凹部７６ａ１、７６ａ２、・・・等に順次、水を溜めて、この溜まった水の重力を利用して回転容器部材７０ａを回転させることが可能であり、かつ、回転容器部材７０ａ内の密閉可能な空間部（Ｋ）に挿入した被処理物の一部を粉末化させることができることが確認できた。このことは、降雨時に前記したメモリアルオブジェクトで収集した雨水を利用して回転容器部材７０ａを回転させることが可能であり、密閉可能な空間部（Ｋ）に挿入した粉末化し易い固形物を、長い時間をかけて粉末化することが可能であることを示している。
【０２３８】
本発明の回転式粉末化装置においては、装置自体で収集した雨水の重量を利用して回転容器部材５、５−１、７０、７０ａ、７０ｂを回転し易くするためには、これら回転容器部材の重量を極力少なくすること、及び雨水溜め用凹部５ｄ１、・・・、あるいは７６ａ１、・・・の空間部を大きくして極力多くの雨水を溜めることが重要である。このためには、前記した回転容器部材７０、７０ａ、７０ｂのように、その構成部材の全てを合成樹脂製とすると軽量化されるので特に有効である。また、前記した回転容器部材５、５−１、・・・については、その構成部材の一部を石材製（例えば、密閉容器５ａ）とし、他の部材は合成樹脂製、あるいは比重が小さく、耐蝕性が高い軽量合金やセラミックス、例えば、マグネシウム合金製としてもよい。また、密閉容器５ａもマグネシウム合金製としてもよい。
【０２３９】
なお、上記した回転容器部材７０、７０ａ、７０ｂについては、その各部材は透明又は半透明な合成樹脂製とした例について説明したが、回転容器部材７０、７０ａを構成する部材の一部、例えば円筒体８０、羽根部材７３ａ・・・等を耐蝕性の高く比重が小さい金属、例えば、マグネシウム合金、あるいはセラミックス等で製造してもよい。この場合には、密閉可能な空間部（Ｋ）を密閉するための蓋部材８１と８２を、前記したように透明又は半透明の合成樹脂製として、密閉可能な空間部（Ｋ）内に挿入した被処理物の様子を外部から目視で確認することができるようにすることが望ましい。
【０２４０】
さらに、合成樹脂製とした回転容器部材７０、７０ａ、７０ｂについては、耐摩耗性を向上させるために回転容器部材７０、７０ａ、７０ｂを構成する各部材に透明あるいは半透明な耐摩耗性コーティング被膜を形成、または耐摩耗性フィルムを貼り付けてもよい。特に、回転容器部材７０、７０ａ、７０ｂの第１の円筒体７１の蓋部材７１ｂ、第２の円筒体７２の蓋部材７４、円筒体８０、蓋部材８１、８２、各羽根部材に耐摩耗性コーティング被膜を形成、または耐摩耗性フィルムを貼り付け、さらにその上面に水蒸気の結露を防止するための被膜を形成しておくと、回転容器部材７０、７０ａ、７０ｂの外部から、これら蓋部材を介して密閉可能な空間部Ｋに挿入した被処理物の状況をより確実に確認することが可能になる。
【０２４１】
また、前記した本発明の実施形態に係るメモリアルオブジェクトＭ１（図１参照）、Ｍ４（図２５参照）、Ｍ５（図２７参照）においては、必ずしも台座３、２３を設ける必要はなく、装置本体４の上面部に雨水流下塔２を載置した構成、あるいは装置本体２４の上面部に雨水流下塔２２を載置して、雨水流下塔２（２２）を流下（又は落下）する雨水を、直接に回転容器部材５（又は５−１、５−２、７０、７０ａ、７０ｂ）上に落下させる構成としてもよい。さらに、雨水流下塔２と台座３を一体化、あるいは雨水流下塔２２と台座２３とを一体化した構成にしてもよい。
【０２４２】
以上に説明した本発明の回転式粉末化装置は、降雨時に降雨収集塔１等で収集して取り込んだ雨水を利用して回転容器部材５（７０、７０ａ、７０ｂ）を回転させる例について説明したが、例えば、メモリアルオブジェクトＭ１等とした場合には、遺族がメモリアルオブジェクトＭ１の降雨収集塔１の上面部に水を注いだときにも、この注いだ水により回転容器部材５、７０、７０a、０ｂは回転する。これにより、回転容器部材５等の回転数が増加するので、被処理物の粉末化が促進される効果も生じる。
【０２４３】
また、上記したメモリアルオブジェクトの実施形態においては、さらに、次の手段（１）又は手段（２）のいずれか一つの手段、あるいは双方の手段を採用することにより、回転容器部材５等内で被処理物（焼骨）を粉末化する期間をより短縮することも可能になる。
【０２４４】
（手段１）
回転容器部材５等の密閉可能な空間部（Ｋ）内に被処理物とともに、被処理物の粉砕を促進するための粉砕促進部材の１個又は複数個を挿入する。この粉砕促進部材としては、例えば、耐蝕性の高いステンレス鋼製、あるいはセラミックス製からなる径が１０ｍｍ以下の球状体（ボール）を使用する。密閉空間部Ｋ内にこの球状体を予め挿入しておくことにより、降雨時の雨水を利用して回転容器部材５等が回転すると、球状体も回転又は揺動しながら被処理物と接触する（衝突する）。これにより、被処理物は密閉可能な空間部（Ｋ）の内周面に設けた凸状突起部５ｃ１等と、この球状体との接触により、その粉砕が促進されるのでより短い期間で粒子状の粉末を得ることが可能になる。また、球状体との接触により、より均一な粒末を得ることも可能になる。
【０２４５】
（手段２）
回転容器部材５等の密閉可能な空間部（Ｋ）内に被処理物とともに、被処理物の分解を促進するための分解促進剤を挿入する。この分解促進剤としては、密閉容器５ａ等の内周面に影響を与えない酸類を含有する物質、例えばクエン酸を含有する固形物または粒状（粉末状）の分解促進剤とすることができる。このクエン酸を含有する分解促進剤を密閉可能な空間部（Ｋ）内に挿入しておくと、回転容器部材５等が回転したときに、被処理物とこの分解促進剤とが接触して、分解促進剤に含まれている酸の分解作用により被処理物の分解が促進されるので、より短い期間で被処理物を粉末化することが可能であると推測できる。
【０２４６】
本発明の回転式粉末化装置は、上記したメモリアルオブジェクトとしての用途の他に、例えば、回転容器部材５等の密閉容器５ａ内に、被処理物として使用済の古くなった園芸用土、枯れ葉、腐葉土、粒子状の肥料、石灰等の被処理物を挿入し、降雨時の雨水を利用してこの回転容器部材５等を長い期間をかけて回転させることにより、使用済の園芸用土を再生する装置、同じく密閉容器５ａ内に家庭や飲食店等で生じる生ごみと生ごみ分解用微生物を挿入して生ごみを堆肥化させる装置、同じく密閉容器５ａ内に落ち葉（枯れ葉や枯れ枝の小片）等と腐葉土生成用の微生物等を挿入して、腐葉土を生成する装置、等に適用することができる。
【０２４７】
なお、本発明の回転式粉末化装置を、上記した園芸用土の再生装置、生ごみ堆肥化装置、腐葉土生成装置として実用化する場合には、密閉容器５ａの密閉を、容易な操作により任意に解除できる手段や、発生したガスを外部に放出させるための手段を設けるようにする。また、回転式粉末化装置の全体のサイズを大きくして、降雨時に多量の雨水を収集可能にするとともに、被処理物の処理量も大きくできるようにする。この場合には、回転式粉末化装置で収集した雨水の他に、他の場所で収集した多量の雨水も利用できるようにするとともに、上記した降雨収集塔１、雨水落下塔２、台座３、装置本体４、回転容器部材５等の形状や大きさを、その用途に合わせて適切な仕様にするとよい。
【０２４８】
以上に説明した本発明に係る回転式粉末化装置は、降雨時に収集した雨水を利用して被処理物を密閉可能な空間部（Ｋ）内で、比較的長い期間をかけて粉末化する装置であるが、省エネルギー型の装置であるため、その利用価値は極めて高い。特に、本発明の回転式粉末化装置を、上記実施形態で説明した故人を身近な場所で一時的に偲ぶためのメモリアルオブジェクトＭ１〜Ｍ６として実施すると、特に、次の効果を奏することが可能になる。
【０２４９】
（１）従来は焼骨の粉末化はモータの駆動等の電気エネルギーの利用、あるいは人力によるハンマー操作等により実施されていた。本発明の回転式粉末化装置は家族等の身近な場所に設置することが可能であり、しかも、焼骨の粉末化の過程が故人を偲びながら「降雨時の雨水」の利用という自然界の自然現象の過程を経て「自然界の土」に近い粒子状の粉末を、自然エネルギーを利用して得ることができる。
【０２５０】
（２）家族や親族が故人の焼骨を長い年月をかけて粉骨化されるまでの過程のなかで、例えば、子供がいないから合葬式の合同墓に入れる等、そのときの家族の望む供養手段を選択できるという大きな利点も生じる。
【０２５１】
（３）焼骨を粉骨化する過程の装置ではあるが、故人を身近で、かつ気軽に偲ぶために降雨が降り注ぐ適宜な場所、例えば、親族や寺院等の建屋の屋上やベランダ、あるいは寺院や管理者がいる敷地上に設置することができる。
【０２５２】
（４）本発明の回転式粉末化装置をメモリアルオブジェクトとして用いると、すでに無縁墓となった遺骨を無縁改葬する場合においても利用することができる。この場合には、前記した焼骨を短期間で粉骨化する手段（１）又は手段（２）のいずれか一つの手段、あるいは双方の手段を採用して無縁墓となった遺骨を短期間で粉骨化することも可能になるので、産業廃棄物として処理できない無縁遺骨の縮小整理により、無縁合葬墓の面積を大幅に小さくすることができるので、社会全体にとって実用価値の高い回転式粉末化装置になる。
【０２５３】
（５）メモリアルオブジェクトを構成する装置本体、台座、雨水流下塔、降雨収集塔を、耐蝕性が高い石材で製造することにより、例えば、家族や親族が長い年月の間、繰り返して共同で使用することも可能になる。
【０２５４】
（６）モリアルオブジェクトを、メモリアルオブジェクトの設置場所に設置したときには、これらのメモリアルオブジェクトが備えている装置本体４、２４、３４、６５の下面部の隅部に形成されている設置用突出部４ｋ（２４ｋ、３４ｋ、６５ｋ）が、設置場所である地面、アスファルト、コンクリート、タイル等の上に接面している。そして、これらのメモリアルオブジェクトを管理する親族等の事情により、この設置場所の変更が生じた場合には、設置場所の変更の操作が容易になる。すなわち、装置本体４（２４、３４、６５）等の下面部の下に吊り上げ用のベルトを通した持ち上げ、あるいは装置が小型の場合には人力での持ち上げにより、設置場所を変更するための移動操作が容易になる。
【０２５５】
（７）焼骨等を骨粉化する装置としてその役割を終了した場合においては、例えば、これらメモリアルオブジェクトＭ１〜Ｍ６等の雨水流下塔２（２２、３２、６２）の上面部に形成している凹部等を塞ぐ処理、あるいは、降雨収集塔１（２１、６１）の雨水を収集する手段の一つとなる貫通穴等を塞ぐ処理、あるいは雨水の取り込み機能を備えていない降雨収集塔との取り替え、装置本体４（２４、３４、６５）の底部の切り抜き、粉骨（遺灰）が入っている回転容器部材５等を着地又は埋葬し、また花立の配置等を実施したこれらのメモリアルオブジェクを、一般の埋葬墓石としての供養物として墓地に設置して再使用することも可能になる。また、回転容器部材５等を取り替えることにより、その他の用途の回転式粉末化装置の回転容器部材として使用することも可能になる。
【０２５６】
本発明に係る回転式粉末化装置は、上記したように、自然現象である降雨時に収集した雨水の重力を利用して、自然エネルギーを利用して回転容器部材５等を回転させているが、太陽光発電パネルで発生させた電気エネルギーを利用して回転容器部材５等を回転させる手段も併せて備えた構成としてもよい。
【０２５７】
太陽光発電パネルを用いた場合には、回転容器部材５等の回転軸を回転させる電気モータと、太陽光発電パネルで得た電気エネルギーを蓄電する蓄電装置と、この電気モータの回転を制御する制御装置を備えるようにする。そして、例えば、降雨現象がない晴天の昼間には、蓄電装置に蓄電した電気エネルギーを利用して電気モータを作動させることにより、回転容器部材５等を間欠的に所定の時間間隔ほど回転させるようにすることにより、被処理物の粉末化をより短い日数で行うことが可能になる。特に、本発明を前記した生ごみ堆肥化装置、腐葉土などの生成装置として使用する場合には、太陽光発電パネルで発電した電気エネルギーの利用は、回転容器部材５等の回転数を増加させることができるので有効になる。
【符号の説明】
【０２５８】
１：降雨収集塔、
２：雨水流下塔、
２ａ：集水用凹部、２ｂ：底部、２ｃ：雨水流下用貫通穴、
２ｄ：集水用凹部、２ｅ：位置決め用貫通穴、２ｆ：雨水流下用貫通穴、
３：台座、
３ａ、３ａ１：凹部、３ｂ：底部、３ｃ：雨水供給用貫通穴、３ｄ：空間突出部、
３ｆ：貫通穴、
４：装置本体
４ａ：上部開口部、４ｂ、４ｃ、４ｄ、４ｅ：側面部、４ｆ：底部、４ｇ：空間部、
５、５−１、５−２、５−３、５−４：回転容器部材、
５ａ：密閉容器、
５ｂ１、５ｂ２、５ｂ３、・・・：雨水溜まり部、
５ｃ：凹凸部、５ｃ１：凸状突起部、５ｃ２：凹部、
５ｄ１、５ｄ２、５ｄ３、・・・：雨水溜め用凹部、
８：回転軸、９：軸受、１０：軸受支持部材、
２１：降雨収集塔、
２１ａ、２１ｂ、２１ｃ、２１ｄ：下り傾斜面、２１ｅ：平坦面部、２１ｆ：貫通穴、
２２：雨水流下塔、
２２ａ：集水用凹部、２２ｂ：底部、２２ｃ：雨水流下用貫通穴、２２ｄ：溝部、
２２ｅ：集水用凹部、２２ｆ：底部、２２ｇ、２２ｈ：位置決め用貫通穴、
２２ｉ、２２ｊ：雨水流下用貫通穴、
２３：台座、
２３ａ：雨水分配凹部、２３ｂ：底部、２３ｃ１、２３ｃ２：雨水供給用貫通穴、
２３ｄ、２３ｅ：貫通穴、
２４：装置本体、
２４ａ：上部開口部、２４ｂ、２４ｃ、２４ｄ、２４ｅ：側面部、２４ｆ：底部、
２４ｇ：空間部、
２７：網部材、
３２：雨水流下塔、３２ｅ、３２ｆ：雨水収集用凹部、
３３：台座、
３３ａ：雨水分配凹部、３３ｂ：底部、３３ｃ１、３３ｃ２、３３ｃ３：雨水供給用貫通穴、
３４：装置本体、
３４ａ：上部開口部、３４ｂ、３４ｃ、３４ｄ、３４ｅ：側面部、３４ｆ：底部、
３４ｇ：空間部、
６１：降雨収集塔、６２：雨水流下塔、６２ｃ：雨水流下用貫通穴、
６３：第１の台座、
６４：第２の台座、６４ａ：雨水分配凹部、
６５：装置本体、
６５ａ：上面部、
６５ｂ、６５ｃ、６５ｄ、６５ｅ：側面部、
６５ｆ：中央側面部、
６５ｇ１、６５ｇ２：空間部、
７０、７０ａ、７０ｂ：回転容器部材、
７１：第１の円筒体、７１ａ：円筒状部、７１ｂ：蓋部材、
７２：第２の円筒体、７２ａ：円筒状部、７２ｂ：円板状部材、
７３ａ、７３ｂ、７３ｃ、・・・：羽根部材、
７４：蓋部材、７４ａ：回転軸、
７５：蓋部材、７５ａ：回転軸 、
７６ａ１、７６a２、７６ａ３、・・・、７６ａ８：雨水溜め用凹部、
７７：軸受支持部材、７８：ワッッシャー、７９：ビス（ボルト）、
８０：円筒体、８１：蓋部材、８１ａ：回転軸、８２：蓋部材、８２ａ：回転軸、
８３：凸状突起部、
８４：円弧状板体、８４ａ：微小な凹凸部、
Ｋ：密閉可能な空間部、
Ｍ１、Ｍ２、Ｍ３、Ｍ４、Ｍ５、Ｍ６：メモリアルオブジェクト、
Ｏ：回転軸心、Ｐ：被処理物、
Ｓ１、Ｓ２、Ｓ３：回転方向、
Ｖ：雨水流下用貫通穴の中心線。
【図１】
0005723692.tif 000004
【図２】
0005723692.tif 000005
【図３】
0005723692.tif 000006
【図４】
0005723692.tif 000007
【図５】
0005723692.tif 000008
【図６】
0005723692.tif 000009
【図７】
0005723692.tif 000010
【図８】
0005723692.tif 000011
【図９】
0005723692.tif 000012
【図１０】
0005723692.tif 000013
【図１１】
0005723692.tif 000014
【図１２】
0005723692.tif 000015
【図１３】
0005723692.tif 000016
【図１４】
0005723692.tif 000017
【図１５】
0005723692.tif 000018
【図１６】
0005723692.tif 000019
【図１７】
0005723692.tif 000020
【図１８】
0005723692.tif 000021
【図１９】
0005723692.tif 000022
【図２０】
0005723692.tif 000023
【図２１】
0005723692.tif 000024
【図２２】
0005723692.tif 000025
【図２３】
0005723692.tif 000026
【図２４】
0005723692.tif 000027
【図２５】
0005723692.tif 000028
【図２６】
0005723692.tif 000029
【図２７】
0005723692.tif 000030
【図２８】
0005723692.tif 000031
【図２９】
0005723692.tif 000032
【図３０】
0005723692.tif 000033
【図３１】
0005723692.tif 000034
【図３２】
0005723692.tif 000035
【図３３】
0005723692.tif 000036
【図３４】
0005723692.tif 000037
【図３５】
0005723692.tif 000038
【図３６】
0005723692.tif 000039
【図３７】
0005723692.tif 000040
【図３８】
0005723692.tif 000041
【図３９】
0005723692.tif 000042